(57)【要約】      （修正有）【課題】携帯情報端末ケースを縦向きにしても横向きにしても操作がしやすく、しかも落下を確実に防止できるリング付き携帯情報端末ケースを提供する。【解決手段】カードポケットｃＰの周囲３辺が携帯情報端末ケースＣの背面に接着されてなり、可撓ベルトＦＢは、折り返されるまでの下部固定部と、リング空間を形成してなる可撓性を有する折返し部と、折り返されてからの上部固定部とからなる。下部固定部と上部固定部は、共に折返し部と一体に接続されてなると共に、折返し部は、リングＲを収納するためのリング空間を有する梁を形成してなる。リング空間は、リングＲを収納した際に遊び空間を確保してなり、かつ、下部固定部と上部固定部は、共にカードポケットｃＰに回転不能に拘束されてなると共に、折返し部はカードポケットｃＰに対して移動可能となっている。【選択図】図１
2019050467.tif 000002
【特許請求の範囲】
【請求項１】
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢと直交する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢに平行する水平軸ｚ方向の周りに−６０°〜６０°回転可能であることを特徴とするリング付き携帯情報端末ケース１００。
【請求項２】
リングＲのリング面ｒＦは、携帯情報端末ケースＣの背面ｃＢと直交する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることを特徴とする請求項１に記載されたリング付き携帯情報端末ケース１００。
【請求項３】
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることを特徴とする請求項１〜２の何れかに記載されたリング付き携帯情報端末ケース１００。
【請求項４】
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢに平行する水平軸ｚ方向の周りに−６０°〜６０°回転可能であることを特徴とする請求項１〜３の何れかに記載されたリング付き携帯情報端末ケース１００。
【請求項５】
さらに、携帯情報端末ケースＣの背面ｃＢと平行する垂直軸ｙ方向の周りに無制限に回転可能であることを特徴とする請求項１〜４の何れかに記載されたリング付き携帯情報端末ケース１００。
【請求項６】
さらに、可撓ベルトＦＢが、人造皮革、プラスチック、布から製造されたものであることを特徴とする請求項１に記載された携帯情報端末ケースＣを特徴とする請求項１〜５の何れかに記載されたリング付き携帯情報端末ケース１００。
【請求項７】
さらに、カードポケットｃＰが、人造皮革、プラスチック、布から製造されたものであることを特徴とする請求項１に記載された携帯情報端末ケースＣを特徴とする請求項１〜６の何れかに記載されたリング付き携帯情報端末ケース１００。
【請求項８】
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることを特徴とする請求項１〜７の何れかに記載されたリング付き携帯情報端末ケース１００。
【請求項９】
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢに平行する水平軸ｚ方向の周りに回転可能であることを特徴とする請求項１〜８の何れかに記載されたリング付き携帯情報端末ケース１００。
【発明の詳細な説明】
【技術分野】
【０００１】
本発明は、リング付き携帯情報端末ケースに関する。
より詳細には、リングホルダー装置を有するリング付き携帯情報端末ケースに関する。
【背景技術】
【０００２】
本願明細書においては、携帯情報端末ケースＣの背面において水平方向をｘ方向、携帯情報端末ケースＣの背面ｃＢにおいて垂直上向き方向（反重力方向）をｙ方向、携帯情報端末ケースＣの背面ｃＢに対して直交する方向をｚ方向、とする。
なお、水平方向とは、特に断らない限り、水平面に対して平行な方向をいい、垂直上向き方向（反重力方向）に対して直交する方向をいう。垂直方向とは、特に断らない限り、水平面に対して直交する方向をいい、垂直上向き方向（反重力方向）に対して直交する方向をいう。
従来の技術においては、ｘ方向軸回り、ｚ方向軸回りとも軸部と軸受部により回動する２軸回転機構を備えた携帯情報端末ケースが提案されていた。
しかし、２軸回転機構は、ｘ方向軸回り、ｚ方向軸回りとも軸部と軸受部が嵌合して回転する機構からなるため、軸部と軸受部の寸法が精密に製作される必要が有り、製造コストが高くなるという欠点を有していた。
さらに、２軸回転機構は、使っていくにつれ、回転摩耗により、軸部と軸受部が嵌合が緩くなって所定位置に固定し難くなるという欠点があった。
【発明の開示】
【０００３】
発明者は、かかる従来技術の欠点に鑑み鋭意研究した結果、本願発明を完成させた。
【先行技術文献】
【特許文献】
【０００４】
本願発明に係るリング付き携帯情報端末ケースについて、ＦＩ、キーワード検索を行ったところ、本件発明（請求項１〜７に記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
携帯情報端末ケースを縦向きにしても横向きにしても操作がしやすく、しかも落下を確実に防止できるリング付き携帯情報端末ケースを提供することである。
○本発明が解決しようとする第２課題
本発明が解決しようとする第２課題は、
折返し部が、リングを収納するためのリング空間を形成してなり、リング空間が、リングを収納した際に遊び空間ＡＳを確保してなる携帯情報端末ケースにあって、リングのリング面が、携帯情報端末ケースの背面に対して直交する場合、リングは、自重Ｗ（ｋｇ重）により倒れないように保持されてなるリング付き携帯情報端末ケースを提供することである。
○本発明が解決しようとする第３課題
本発明が解決しようとする第３課題は、
折返し部が、リングを収納するためのリング空間を形成してなり、リング空間が、リングを収納した際に遊び空間ＡＳを確保してなる携帯情報端末ケースにあって、携帯情報端末ケースＣの背面ｃＢと直交する水平軸ｘ方向の周りに―４５°〜４５°の場合、リングは、自重Ｗ（ｋｇ重）により倒れないように保持されてなるリング付き携帯情報端末ケースを提供することである。
○本発明が解決しようとする第４課題
本発明が解決しようとする第４課題は、
携帯情報端末ケースを横向きにした場合、さらに、リングホルダー部を携帯情報端末ケースを立て掛けるスタンド部として使用することができるリング付き携帯情報端末ケースを提供することである。
○本発明が解決しようとする第５課題
本発明が解決しようとする第５課題は、
リングに指を挿入して、携帯情報端末ケースの背面に対して直交する方向に、指でリングに力を加えると、カード取入れ口の面積が拡大して、カードをカードポケット内に容易に取入れることができるリング付き携帯情報端末ケースを提供することである。
○本発明が解決しようとする第６課題
本発明が解決しようとする第６課題は、
ポケット体Ｐが、リングＲと可撓ベルトＦＢから構成されるリングホルダー装置の他に、ポケット体Ｐの可撓性により、リングＲに水平軸ｚ方向の周りの変位角θを吸収できるリング付き携帯情報端末ケースを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○携帯情報端末９９とは、スケジュール、ＴｏＤｏ、住所録、メモなどの情報を携帯して扱うための小型機器をいう。Ｐｅｒｓｏｎａｌ  Ｄｉｇｉｔａｌ  Ａｓｓｉｓｔａｎｔ（Ｐｅｒｓｏｎａｌ  Ｄａｔａ  Ａｓｓｉｓｔａｎｔと表現されることもある）を略してＰＤＡと一般に呼ばれることが多い。ＰＤＡは、アップル・ニュートンの開発を推進した１９９０年代初頭のアップルコンピュータＣＥＯだったジョン・スカリーによる造語である。
２０００年代のＰＤＡは静止画閲覧、ネットアクセス、動画再生など多くの機能を実装したマルチメディア端末となった。２０１０年代現在のＰＤＡは、メディアプレーヤやタブレット端末およびスマートフォンなどの携帯デバイスの市場に吸収された形となっている。
○携帯情報端末ケースＣとは、携帯情報端末９９を収納するためのケースをいう。
本願発明では、携帯情報端末ケースＣは、例えば、背面板、左右側面板の３面板、あるいは、背面板、平面板、底面板、左右側面板の５面板から構成される。
○ポケット体Ｐとは、携帯情報端末ケースＣの背面ｃＢに設置することにより、カードポケットｃＰを構成するものをいう。
○カードポケットｃＰとは、カードｃｄを収納するための袋をいい、ポケット体Ｐと携帯情報端末ケースＣの背面ｃＢから構成される。
○カードｃｄとは、小さな四角い紙（特に、ある規格に従ってそろえたもの）、あるいは「クレジットカード」、「キャッシュカード」、「ＩＣカード」、「テレホンカード」等をいう。
○袋とは、カード取入れ口ｃＩに該当する一辺を除いて他の辺が接着されているものをいう。
●カード取入れ口ｃＩとは、カードｃｄを取り入れるためのカードポケットｃＰの入口をいう。
●リングＲとは、携帯情報端末ケースＣを背面側を手で握って、指（人差し指等）を挿入することにより、携帯情報端末ケースを縦向きにしても横向きにしても操作がしやすく、しかも落下を確実に防止できるリング状の物をいう。
●リング面ｒＦとは、リングＲの断面の中心線を通る平面をいう。
○２軸角度とは、後述するｘｙｚ座標系において、リングＲのｘ方向軸回りの角度φ、リングＲのｚ方向軸回りの角度θをいう。
●接着されてとは、（厳密には、カードポケットｃＰの構成要素であるポケット体Ｐ）の周囲３辺（（カード取入れ口ｃＩに該当する一辺を除く他の周囲３辺）が携帯情報端末ケースＣの背面ｃＢに縫着（縫って取付ける）されて、又は、接着剤の接着により取付けられて、又は、圧着されて等をいう。
○可撓ベルトＦＢとは、
（１）リングＲのリング面ｒＦが、携帯情報端末ケースＣの背面ｃＢに対して直交する場合、携帯情報端末ケースＣの背面ｃＢと直交する水平軸ｘ方向の周りに−４５°〜４５°の場合、リングＲが、折返し部Ｕから受ける垂直力Ｐｖ（ｋｇ重）と摩擦力μＰｖ（ｋｇ重）により自重Ｗ（ｋｇ重）により倒れないように保持されてなるために、
（２）リングＲの２軸角度（リングＲのｘ方向軸回りの角度φ、リングＲのｚ方向軸回りの角度θ）を可変調整するために、折り返されてなる可撓性の装着具をいう。
本発明に係る可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを形成してなり、リング空間ＲＳは、リングＲを収納した際に遊び空間ＡＳを確保してなり、かつ、下部固定部Ｆ１と上部固定部Ｆ２は、共にカードポケットｃＰに移動不能に拘束されてなると共に、折返し部ＵはカードポケットｃＰに対して移動可能になっている可撓性の装着具をいう。
カードポケットｃＰに対して移動可能になっている折返し部Ｕが、可撓性の材料からなる必要が有る。カードポケットｃＰに拘束されてなる下部固定部Ｆ１と上部固定部Ｆ２は、可撓性の材料からなっても良いが、必ずしも可撓性の材料からなる必要はない。
○下部固定部Ｆ１とは、可撓ベルトＦＢの構成要素であって、折返し部Ｕと一体に接続されてなると共に、下部固定部Ｆ１は、カードポケットｃＰに移動不能に拘束されてなる（例えば、下部固定部Ｆ１がカードポケットｃＰに接着されてなることが例示される。）。
○上部固定部Ｆ２とは、可撓ベルトＦＢの構成要素であって、折返し部Ｕと一体に接続されてなると共に、上部固定部Ｆ２は、カードポケットｃＰに移動不能に拘束されてなる（例えば、上部固定部Ｆ２が下部固定部Ｆ１に一体に接着されてなり、下部固定部Ｆ１がカードポケットｃＰに接着されてなることが例示される。）。
○折返し部Ｕとは、可撓ベルトＦＢの中央部分を構成する構成要素であって、リングＲが自重Ｗ（ｋｇ重）により倒れないように保持すると共に、とリングＲの２軸角度を可変調整するための部分である。
本発明に係る折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、カードポケットｃＰに移動不能に拘束されてなると共に、折返し部ＵはカードポケットｃＰに対して移動可能になっている。
○梁Ｂとは、リング空間ＲＳを内部に有する折返し部Ｕにおいて、折返し部Ｕが垂直力Ｐｖと摩擦力μＰｖをリングＲに伝える強度部材をいう（図９の（Ｅ））。
以下、＜リングＲと可撓ベルトＦＢの製作フロー＞を参照しながら説明をする。
最初は梁Ｂは断面中心が水平な梁であるが、梁の両端に荷重Ｐ、梁の中心に荷重−２Ｑを加えて、断面中心が水平な梁を変形させて曲梁とする。曲梁に作用している応力を残留応力ということにする（図９の（Ａ）〜（Ｅ））。
図９の  （Ｅ）においては、リングＲは曲梁のリング空間ＲＳに挿入されてなり、梁の両端において、リングＲと曲梁の上部内壁が接触し、梁の中央部において、リングＲと曲梁の下部内壁が接触し、リングＲは、梁の両端において、折返し部Ｕから受ける垂直力Ｐｖ（ｋｇ重）と摩擦力μＰｖ（ｋｇ重）を受け、リングＲが自重Ｗ（ｋｇ重）により倒れないように保持される（図９の（Ａ）〜（Ｅ）、図１０）。
リングＲは、梁の中央部において、折返し部Ｕから受ける垂直力−２Ｑｖ（ｋｇ重）と摩擦力−２μＱｖ（ｋｇ重）を受ける（図９の（Ｅ））。
なお、垂直力Ｐｖ（ｋｇ重）と摩擦力μＰｖ（ｋｇ重）は、曲梁の残留応力により生じる力であり、リングＲに作用する力・モーメントの釣り合いを考える時には、垂直力Ｐｖ（ｋｇ重）と摩擦力μＰｖ（ｋｇ重）の他リングＲの自重Ｗ（ｋｇ重）も考慮しなければならない。
○「リングＲは、携帯情報端末ケースＣの背面ｃＢと直交する水平軸ｘ方向の周りに−９０°〜９０°回転可能であり」とは、リングＲを使用する場合は、リングＲのｚ方向軸回りの角度φ≒０°となるが、リングＲを使用しないで収納する場合は、角度φ≒±９０となるので、θは−９０°〜９０°の回転角を取り得る。
○リング空間ＲＳとは、折返し部Ｕの梁Ｂの横断面の内部空間をいい、リングＲの断面と遊び空間ＡＳからなる。
○遊び空間ＡＳとは、折返し部Ｕの梁Ｂの横断面の内部空間であるリング空間ＲＳから、リングＲの断面を除いた残りの空間をいう。
遊び空間ＡＳは、リング空間ＲＳに確保してなることにより、リングＲがリング空間ＲＳを移動することにより、リングＲのリング面ｒＦは、携帯情報端末ケースＣの背面ｃＢと直交する水平軸ｚ方向の周りに−６０°〜６０°回転可能であることが可能となる。
○リングホルダー装置とは、リングＲと可撓ベルトＦＢから構成される装置をということにする。携帯情報端末ケースＣの背面ｃＢに装着されてなる。
○「携帯情報端末ケースＣの背面ｃＢと直交する軸ｚ方向の周りに−６０°〜６０°回転可能であること」とは、リングＲを使用しない場合は、リングＲのｚ方向軸回りの角度θ≒０°となるが、リングＲを使用する場合は、角度θ≒リングＲに挿入する指の方向になるので、θは−６０°〜６０°の回転角を取り得る。
本発明においては、水平軸ｚ方向の周りに−６０°〜６０°回転可能する軸部と軸受部から構成される回転軸はなく、下部固定部Ｆ１は、カードポケットｃＰに拘束されてなると共に、折返し部ＵはカードポケットｃＰｉに拘束されないので、指をリングＲに挿入して、携帯情報端末ケースＣを掴むと、折返し部Ｕは携帯情報端末ケースＣの背面から浮き上がって縮むことにより、折返し部Ｕは、軸ｚ方向の周りに−６０°〜６０°の回転角を取り得る。
○人造皮革とは、皮革に似せて作られた人工素材をいい、合成皮革と人工皮革（じんこうひかく）に分けられる。
○合成皮革は、天然の布地を基材とし、合成樹脂を塗布したものである。
塗布剤にはポリ塩化ビニル（ビニール、ＰＶＣ、Ｐｏｌｙｖｉｎｙｌ  ｃｈｌｏｒｉｄｅ、ポリビニールクロライドと表記）やポリウレタン（ＰＵやＰｏｌｙｕｒｅｔｈａｎｅ、ウレタン樹脂、ウレタンゴムと表記）が、含浸剤にはポリウレタンがよく使われる。
○人工皮革は、マイクロファイバーの布地（通常不織布）に合成樹脂を含浸させたものを、そのまま使うか、それを基材とし合成樹脂を塗布したものである。衣類や靴に使われるのは主に人工皮革である（クラレ社のクラリーノなど）。
塗布剤にはポリ塩化ビニル（ビニール、ＰＶＣ、Ｐｏｌｙｖｉｎｙｌ  ｃｈｌｏｒｉｄｅ、ポリビニールクロライドと表記）やポリウレタン（ＰＵやＰｏｌｙｕｒｅｔｈａｎｅ、ウレタン樹脂、ウレタンゴムと表記）が、含浸剤にはポリウレタンがよく使われる。
○プラスチックとは、主に石油を原料とし、加温した状態で粘い流動性を示し、所定の形に成形できる有機高分子物質のなかの天然樹脂、合成樹脂の総称。合成樹脂およびそれらの成形物の事を指す事が多い。ポリ塩化ビニル、ポリスチレン、ポリプロピレン、ポリエチレンが四大プラスチックとよばれ、世界の生産量の６０％以上を占めている。また、ポリカーボネートやポリアセタール樹脂などは、一般のプラスチックに比べて丈夫で、耐熱性や耐久性に優れている。
○布とは、多数の繊維を薄く広い板状に加工したものを指す。作り方によって織物、編み物（メリヤス生地）、レース、フェルト、不織布に分けられ、使用している繊維の種類、織り方、編み方により性質が決まる。古代日本では植物繊維で作られた物のみを指し、絹織物や毛織物は「布」とは呼ばれていなかったが、現在は繊維の材質に関わらず布と呼ぶ。衣類、装飾、税などに使用される。歴史上では、貴重な材質の布は、一種の貨幣としても流通した。
●飾りベルトとは、本発明の構成要素ではなく，本物品のデザイン性アップのために携帯情報端末ケースＣの背面ｃＢに設置されたベルトである。
＜記号の説明＞
○垂直力Ｐｖ（ｋｇ重）とは、リングＲと折返し部Ｕの梁Ｂが接触している接触面に垂直な方向に作用する力（ｋｇ重）をいう。
リングＲの上面部と折返し部Ｕの梁Ｂの両端の上部内壁が接触していることにより、リングＲは、垂直力Ｐｖ（ｋｇ重）を受ける（図９の（Ｅ））。逆に、梁Ｂは、リングＲから、垂直力−Ｐｖ（ｋｇ重）を受ける。
また、リングＲの下面部と折返し部Ｕの梁Ｂの中央部の下部内壁が接触していることにより、リングＲは、垂直力２Ｑｖ（ｋｇ重）を受ける（図９の（Ｅ））。
○摩擦力μＰｖ（ｋｇ重）とは、リングＲと折返し部Ｕの梁Ｂが接触している接触面に平行な方向に作用する力（ｋｇ重）をいう。
リングＲの上面部と折返し部Ｕの梁Ｂの両端の上部内壁が接触していることにより、リングＲは、摩擦力μＰｖ（ｋｇ重）を受ける（図９の（Ｅ）、図１０）。
また、リングＲの下面部と折返し部Ｕの梁Ｂの中央部の下部内壁が接触していることにより、リングＲは、摩擦力μ２Ｑｖ（ｋｇ重）を受ける（図９の（Ｅ））。
●自重Ｗ（ｋｇ重）とは、本発明においては、リングＲの自重（ｋｇ重）をいう。自重Ｗ（ｋｇ重）の作用する方向は、ｚ方向とする。
ｙ方向が垂直軸方向（反重力方向）としているが、自重Ｗ（ｋｇ重）を考慮する場合には、重力の向きが、ｙ方向からｚ方向になったと考えることにする。
このように考えても一般性を失わない。
すなわち、自重Ｗ（ｋｇ重）とは、ｚ方向に作用する自重Ｗ（ｋｇ重）、あるいは、ｚ方向の自重Ｗ（ｋｇ重）をいう。
自重Ｗ（ｋｇ重）を考慮しない場合には、重力が−ｙ方向に作用すると考える。
○摩擦係数μ（無次元）とは、２つの物体（リングＲと折返し部Ｕの梁Ｂ）接触面に働く摩擦力と、接触面に直交する方向に作用する垂直力との比をいう。
本発明においては、摩擦係数μ（無次元）とは、静止している２つの物体（リングＲと折返し部Ｕの梁Ｂ）接触面に働く摩擦力をいい、最大静摩擦係数μｍａｘ以下の場合をいう。摩擦係数μ（無次元）が最大静摩擦係数μｍａｘ以下であれば、２つの物体は静止していて動かないが、最大静摩擦係数μｍａｘを超えれば、２つの物体は相対的に動く。
すなわち、摩擦係数μ（無次元）を、力の釣り合い式、モーメントの釣り合い式から算出し、その値が最大静摩擦係数μｍａｘ以下であることを確認する。
○ｘｙｚ座標系とは、直交した３軸で作られる右手座標系をいう。ｘ方向、ｙ方向、ｚ方向は、下記で定義され、ｘ方向、ｙ方向、ｚ方向の角度φ、θ、ηは、右ネジをｘ方向、ｙ方向、ｚ方向にそれぞれ押し込む方向を正とする。
○水平軸ｘ方向とは、携帯情報端末ケースＣの背面図において、携帯情報端末ケースＣの背面に平行な水平方向であって、右側から左側に向かう方向を正とする方向をいう。リング面が、ｙ方向と直交する時の角度φを、０°とする。
○垂直軸ｙ方向とは、携帯情報端末ケースＣの背面図において、携帯情報端末ケースＣの背面に平行する垂直軸方向であって、下側から上側に向かう方向を正とする方向をいう。リング面ｒＦが、ｙ方向と直交する時の角度φを、０°とする。
○水平軸ｚ方向とは、携帯情報端末ケースＣの背面図において、携帯情報端末ケースＣの背面に直交する水平方向であって、携帯情報端末ケースＣの正面から背面に向かう方向を正とする方向をいう。
○角度φとは、水平軸ｘ方向の周りの回転角度（°）をいう。右ネジが水平軸ｘ方向に進む方向を正とする。
本願発明においては、角度φとは、リング面のｘ方向の周りの回転角度をいう。
○角度ηとは、垂直軸ｙ方向の周りの回転角度を（°）をいう。右ネジが垂直軸ｙ方向に進む方向を正とする。
本願発明においては、角度ηとは、リング面のｙ方向の周りの回転角度をいう。
○角度θとは、水平軸ｚ方向の周り回転角度を（°）をいう。右ネジが水平軸ｚ方向に進む方向を正とする。
本願発明においては、角度θとは、リング面のｚ方向の周りの回転角度をいう。
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＜リングＲと可撓ベルトＦＢの製作フロー＞
リングＲと可撓ベルトＦＢから構成される装置を、リングホルダー装置ということにする。
リングＲが折返し部Ｕから垂直力Ｐｖ（ｋｇ重）と摩擦力μＰｖ（ｋｇ重）から受けるリングホルダー装置の製作フローを、図９に基づいて、以下説明する。
なお、上部、下部とあるのは、図９の図面視、上部、下部をいう。
○Ｓ１：ステップ１  最初の状態
最初の状態とは、断面中心が水平な梁Ｂのリング空間ＲＳ内にリングＲと同じ断面形状の棒材を挿入して、リングＲが梁Ｂの下部内壁に接触するよう載置された状態をいう（図９の（Ａ））。
○Ｓ２：ステップ２  棒材の曲率半径ｒを小さくしていく過程
上記棒材を円弧状に曲げて当該円弧の曲率半径ｒを小さくしていく。最初の状態から第３の状態になるまで、続ける（図９の（Ｂ））。
○Ｓ３：ステップ３  次の状態
次の状態とは、上記棒材の上面が、梁Ｂの両端の上部内壁に接触した状態をいう（図９の（Ｃ））。
○Ｓ４：ステップ４  棒材の曲率半径ｒを小さくしていく過程
さらに、円弧状に曲げられた棒材の円弧の曲率半径ｒを段段小さくしていく（図９の（Ｄ））。
ここにおいて、梁Ｂは変形して、円弧状に曲げられた棒材の上面は、梁Ｂの両端の上部内壁より垂直力Ｐ（ｋｇ重）を受ける。逆に、梁Ｂの両端の上部内壁には、垂直力−Ｐ（ｋｇ重）が作用する。梁Ｂの両端の上部内壁に作用する垂直力−Ｐ（ｋｇ重）により、梁Ｂには応力が作用する。
円弧状に曲げられた棒材の円弧の曲率半径ｒを段段小さくしていくにつれ、垂直力Ｐ（ｋｇ重）は段段増加していく。梁Ｂに作用する応力も段段増加していく。
○Ｓ５：ステップ５  最後の状態
最後の状態とは、円弧状に曲げられた棒材の円弧の曲率半径ｒを段段小さくしていき、上記棒材を円弧状に曲げて当該円弧の曲率半径ｒを小さくしていき、円弧状に曲げられた棒材の円弧の曲率半径ｒがリングＲの半径Ｒｒ（ｃｍ）に等しくなった状態をいう（図９の（Ｅ））。
最後の状態においては、垂直力Ｐ（ｋｇ重）＝垂直力Ｐｖ（ｋｇ重）になる。
最後の状態においては、梁Ｂの両端の上部内壁に作用する垂直力−Ｐｖ（ｋｇ重）により、梁Ｂには応力が作用する。なお、最終状態において、梁Ｂに作用する応力を残留応力という。  
すなわち、リングＲが垂直力Ｐｖ（ｋｇ重）受ける場合、摩擦力の特性から、垂直力Ｐｖ（ｋｇ重）に接触面に水平な方向に摩擦力μＰｖ（ｋｇ重）も作用する。
円弧状に曲げられた棒材の円弧の曲率半径ｒがリングＲの半径Ｒｒ（ｃｍ）に等しくなった場合、円弧上の棒材の両端は一体に接着されて継ぎ目が分らなくなる。
＜まとめ＞
上記により、請求項１に記載された「リングＲは、折返し部Ｕから受ける垂直力Ｐｖ（ｋｇ重）と摩擦力μＰｖ（ｋｇ重）により…」の記載内容が説明された。
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＜リングＲは、折返し部Ｕから受ける垂直力Ｐｖ（ｋｇ重）と摩擦力μＰｖ（ｋｇ重）により自重Ｗ（ｋｇ重）により倒れないように保持されてなることの説明について＞
前述＜リングＲと可撓ベルトＦＢの製作＞において、リングＲは、折返し部Ｕから垂直力Ｐｖ（ｋｇ重）と摩擦力μＰｖ（ｋｇ重）を受けることは説明した。
また、折返し部Ｕの梁Ｂには、残留応力が作用していることも説明した。
かかる残留応力により、リングＲは、折返し部Ｕから垂直力Ｐｖ（ｋｇ重）と摩擦力μＰｖ（ｋｇ重）を受けることができる。
そして、リングＲは、梁Ｂの両端において、折返し部Ｕから受ける垂直力Ｐｖ（ｋｇ重）と摩擦力μＰｖ（ｋｇ重）を受け、リングＲが自重Ｗ（ｋｇ重）により倒れないように保持される。
リングＲが自重Ｗ（ｋｇ重）により倒れないように保持される理由を、図１０に基づいて、説明する。
リングＲは、垂直力Ｐｖ（ｋｇ重）と摩擦力μＰｖ（ｋｇ重）を受ける。すなわち、リングＲに、垂直力Ｐｖ（ｋｇ重）と摩擦力μＰｖ（ｋｇ重）が作用する（図１０）。
点Ｏ廻りのモーメントの釣合を考えれば、以下の式が成立する。
μＰｖ×ａμ＝Ｗ×ａｗ……式（１）
ここに、μ≦最大静摩擦係数μｍａｘ
上式を変形して、
μ＝Ｗ×ａｗ／（Ｐｖ×ａμ）……式（１’）
式（１’）により算出されたμが、最大静摩擦係数μｍａｘであれば、リングＲが自重Ｗ（ｋｇ重）により倒れないように保持されることが証明された。
逆に、リングＲが自重Ｗ（ｋｇ重）により倒れないように保持されるためには、μＰｖを大きくすればよいことが分る。
また、リングＲは、梁Ｂの中央部において、折返し部Ｕから受ける垂直力−２Ｑｖ（ｋｇ重）と摩擦力−２μＱｖ（ｋｇ重）を受ける（図９の（Ｅ））。
なお、垂直力Ｐｖ（ｋｇ重）と摩擦力μＰｖ（ｋｇ重）は、曲梁の残留応力により生じる力であり、リングＲに作用する力・モーメントの釣り合いを考える時には、垂直力Ｐｖ（ｋｇ重）と摩擦力μＰｖ（ｋｇ重）の他リングＲの自重Ｗ（ｋｇ重）も考慮しなければならない（図９の（Ｅ））。
すなわち、下式の近似式が成立する。
２Ｑｖ≒２Ｐｖ＋Ｗ……式（２）
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＜周囲３辺が携帯情報端末ケースＣの背面ｃＢに接着されてなるカードポケットｃＰに、リングＲと可撓ベルトＦＢから構成されるリングホルダー装置が装着されてなる構成の意義＞
リングＲと可撓ベルトＦＢから構成されるリングホルダー装置が直接携帯情報端末ケースＣの背面ｃＢに装着されるのではなく、周囲３辺が携帯情報端末ケースＣの背面ｃＢに接着されてなるカードポケットｃＰに装着されることの意義について以下論ずる（図１３の（Ａ）〜（Ｄ））。
発明者は、本発明に係るリング付き携帯情報端末ケース１００を試作していて、リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることに初めて気が付いた（図１３の（Ａ）〜（Ｄ））。
上記に関連して、リングＲに指を挿入して、携帯情報端末ケースＣの背面ｃＢに対して直交する−ｚ方向に、指でリングＲに力を加えると、カード取入れ口ｃＩの面積が拡大すると共に（図１３の（Ａ）〜（Ｄ））、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢに平行する水平軸ｚ方向の周りに回転可能であることにも初めて気が付いた。
ポケット体Ｐが、リングＲと可撓ベルトＦＢから構成されるリングホルダー装置の他に、ポケット体Ｐの可撓性により、リングＲに水平軸ｚ方向の周りの変位角θを吸収できることが分り、より大きな変位角θの吸収できるという顕著な効果を発揮できることができた。
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＜２軸回転機構（従来技術）と本発明との比較について＞
２軸回転機構が、ｘ方向軸回り、ｚ方向軸回りとも軸部と軸受部が嵌合して回転する機構であるのに対して、本発明は、少なくとも、ｚ方向軸回りについては、軸部と軸受部が嵌合して回転する機構を有していないので、２軸回転機構（従来技術）と本発明とは構成を異にしている。
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢと直交する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢに平行する水平軸ｚ方向の周りに−６０°〜６０°回転可能であることを特徴とするリング付き携帯情報端末ケース１００である。
○第２の発明（請求項２に記載の発明）
上記の課題を解決するための第２の発明（請求項２に記載の発明）は、
リングＲのリング面ｒＦは、携帯情報端末ケースＣの背面ｃＢと直交する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることを特徴とする請求項１に記載されたリング付き携帯情報端末ケース１００である。
○第３の発明（請求項３に記載の発明）
上記の課題を解決するための第３の発明（請求項３に記載の発明）は、
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることを特徴とする請求項１〜２の何れかに記載されたリング付き携帯情報端末ケース１００である。
○第４の発明（請求項４に記載の発明）
上記の課題を解決するための第４の発明（請求項４に記載の発明）は、
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢに平行する水平軸ｚ方向の周りに−６０°〜６０°回転可能であることを特徴とする請求項１〜３の何れかに記載されたリング付き携帯情報端末ケース１００である。
○第５の発明（請求項５に記載の発明）
上記の課題を解決するための第５の発明（請求項５に記載の発明）は、
さらに、携帯情報端末ケースＣの背面ｃＢと平行する垂直軸ｙ方向の周りに無制限に回転可能であることを特徴とする請求項１〜４の何れかに記載されたリング付き携帯情報端末ケース１００である。
○第６の発明（請求項６に記載の発明）
上記の課題を解決するための第６の発明（請求項６に記載の発明）は、
さらに、可撓ベルトＦＢが、人造皮革、プラスチック、布から製造されたものであることを特徴とする請求項１に記載された携帯情報端末ケースＣを特徴とする請求項１〜５の何れかに記載されたリング付き携帯情報端末ケース１００である。
○第７の発明（請求項７に記載の発明）
上記の課題を解決するための第７の発明（請求項７に記載の発明）は、
さらに、カードポケットｃＰが、人造皮革、プラスチック、布から製造されたものであることを特徴とする請求項１〜６の何れかに記載されたリング付き携帯情報端末ケース１００である。
○第８の発明（請求項８に記載の発明）
上記の課題を解決するための第８の発明（請求項８に記載の発明）は、
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることを特徴とする請求項１〜７の何れかに記載されたリング付き携帯情報端末ケース１００である。
○第９の発明（請求項９に記載の発明）
上記の課題を解決するための第９の発明（請求項９に記載の発明）は、
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢに平行する水平軸ｚ方向の周りに回転可能であることを特徴とする請求項１〜８の何れかに記載されたリング付き携帯情報端末ケース１００である。
【発明の効果】
【０００７】
本発明に係るリング付き携帯情報端末ケース１００は、上記のような特徴的構成要件から構成され、特徴的構成要件に応じた、以下のような本願発明特有の効果を奏する。
また、上記の各発明に応じた、上記のような特徴的構成要件から構成されたリング付き携帯情報端末ケース１００によれば、本願発明の課題を十分解消することができた。
○第１の発明の効果
第１の発明によれば、
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢと直交する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢに平行する水平軸ｚ方向の周りに−６０°〜６０°回転可能であることという特徴的な構成要件により、本発明が解決しようとする第１課題〜第６課題を達成することができ、当業者予測不可能な顕著な効果を奏することができた。
○第２の発明の効果
第２の発明によれば、
リングＲのリング面ｒＦは、携帯情報端末ケースＣの背面ｃＢと直交する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることという特徴的な構成要件により、本発明が解決しようとする第１課題〜第６課題を達成することができ、当業者予測不可能な顕著な効果を奏することができた。
○第３の発明の効果
第３の発明によれば、
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることという特徴的な構成要件により、本発明が解決しようとする第１課題〜第６課題を達成することができ、当業者予測不可能な顕著な効果を奏することができた。
○第４の発明の効果
第４の発明によれば、
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢに平行する水平軸ｚ方向の周りに−６０°〜６０°回転可能であることという特徴的な構成要件により、本発明が解決しようとする第１課題〜第６課題を達成することができ、当業者予測不可能な顕著な効果を奏することができた。
○第５の発明の効果
第５の発明によれば、
さらに、携帯情報端末ケースＣの背面ｃＢと平行する垂直軸ｙ方向の周りに無制限に回転可能であることという特徴的な構成要件により、本発明が解決しようとする第１課題〜第６課題を達成することができ、当業者予測不可能な顕著な効果を奏することができた。
○第６の発明の効果
第６の発明によれば、
さらに、可撓ベルトＦＢが、人造皮革、プラスチック、布から製造されたものであることを特徴とする請求項１に記載された携帯情報端末ケースＣという特徴的な構成要件により、本発明が解決しようとする第１課題〜第６課題を達成することができ、当業者予測不可能な顕著な効果を奏することができた。
○第７の発明の効果
第７の発明によれば、
さらに、カードポケットｃＰが、人造皮革、プラスチック、布から製造されたものであることという特徴的な構成要件により、本発明が解決しようとする第１課題〜第６課題を達成することができ、当業者予測不可能な顕著な効果を奏することができた。
○第８の発明の効果
第８の発明によれば、
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることという特徴的な構成要件により、本発明が解決しようとする第１課題〜第６課題を達成することができ、当業者予測不可能な顕著な効果を奏することができた。
○第９の発明の効果
第９の発明によれば、
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢに平行する水平軸ｚ方向の周りに回転可能であることという特徴的な構成要件により、本発明が解決しようとする第１課題〜第６課題を達成することができ、当業者予測不可能な顕著な効果を奏することができた。
【発明を実施するための最良の形態】
【０００８】
以下、本発明に係る、リング付き携帯情報端末ケース１００に関する最良の実施形態について、図面を参照しながら説明する。
［図１］
図１は、本発明に係るリング付き携帯情報端末ケース１００の斜視図を表す。
［図２］
図２は、本発明に係るリング付き携帯情報端末ケース１００の正面図を表す。
［図３］
図３は、本発明に係るリング付き携帯情報端末ケース１００の背面図を表す。
［図４］
図４は、本発明に係るリング付き携帯情報端末ケース１００の左側面図を表す。
［図５］
図５は、本発明に係るリング付き携帯情報端末ケース１００の右側面図を表す。
［図６］
図６は、本発明に係るリング付き携帯情報端末ケース１００の平面図を表す。
［図７］
図７は、本発明に係るリング付き携帯情報端末ケース１００の底面図を表す。
［図８］
図８は、本発明に係るリング付き携帯情報端末ケース１００のリングホルダー装置の拡大図を表す。（Ａ）図は、平面図（図６）の拡大図を表す。（Ｂ）図は、底面図（図７）の拡大図を表す。（Ｃ）図は、左側面図（図４）の拡大図を表す。（Ｄ）図は、右側面図（図５）の拡大図を表す。
［図９］
図９は、本発明に係るリング付き携帯情報端末ケース１００のリングホルダー装置の製作過程の状態を示す図である。（Ａ）図は、ステップ１の状態を示す図である。（Ｂ）図は、ステップ２の状態を示す図である。（Ｃ）図は、ステップ３の状態を示す図である。（Ｄ）図は、ステップ４の状態を示す図である。（Ｅ）図は、ステップ５の状態を示す図である。
［図１０］
図１０は、リングＲが、折返し部Ｕから受ける垂直力Ｐｖ（ｋｇ重）と摩擦力μＰｖ（ｋｇ重）により自重Ｗ（ｋｇ重）により倒れないように保持されることの理由を示す図である（角度θがθ’）。
点Ｏは、梁の中央部の断面中心の位置を表し、垂直力−２Ｑの作用点でもある。
腕の長さａｗ：自重Ｗ（Ｋｇ重）の点Ｏ周りの腕の長さをいう。
腕の長さａμ：  摩擦力μＰｖ（ｋｇ重）の点Ｏ周りの腕の長さをいう。
［図１１］
図１１は、本発明に係るリング付き携帯情報端末ケース１００の使用状態を示す図である。携帯情報端末ケース１００を横向きにして立て掛け、リングＲを携帯情報端末ケース用スタンドとして用いている。
［図１２］
図１２は、リングＲのリング面ｒＦが、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることを示す図である。
（Ａ）図は、水平軸ｚ方向の周りの角度θが０度の場合のリングＲと梁Ｂの右側面図を表す。
（Ｂ）図は、水平軸ｚ方向の周りの角度θがθ’度の場合のリングＲと梁Ｂの右側面図を表す。
（Ｃ）図は、水平軸ｚ方向の周りの角度θが０度の場合には、リングＲがｙ方向側と−ｙ方向側に遊びスペースＡＳを有している状態（梁Ｂの両端の状態）を示している。
（Ｄ）図は、水平軸ｚ方向の周りの角度θがθ’度の場合には、リングＲがリング空間ＲＳを移動して、リング空間ＲＳの―ｙ方向側に遊びスペースＡＳを有している状態（梁Ｂのｘ方向の片端の状態）を示している。
（Ｅ）図は、水平軸ｚ方向の周りの角度θがθ’度の場合には、リングＲがリング空間ＲＳを移動して、リング空間ＲＳの―ｙ方向側に遊びスペースＡＳを有している状態（梁Ｂのｘ方向の他端の状態）を示している。
（Ａ）〜（Ｅ）図により、リングＲのリング面ｒＦが、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることが示された。
［図１３］
図１３は、本発明に係るリング付き携帯情報端末ケース１００において、リングに指を挿入して、携帯情報端末ケースＣの背面ｃＢに対して直交する方向に、指でリングに力Ｆ（Ｋｇ重）を加えると、カード取入れ口ｃＩの面積が拡大して、カードｃｄをカードポケット内に容易に取入れることができることを示す図である。
（Ａ）図は、右手で保持した、本発明に係るリング付き携帯情報端末ケース１００の背面図を表しており、指でリングに力Ｆ（Ｋｇ重）を加える前の状態を示す。
カード取入れ口ｃＩは殆ど隙間が無いスリット形状で表されている。
（Ｂ）図は、右手で保持した本発明に係るリング付き携帯情報端末ケース１００の背面図を表しており、指でリングに力Ｆ（Ｋｇ重）を加えた時の状態を示す。カード取入れ口ｃＩ、Ｆ＝０（Ｋｇ重）の場合に比較して、ポケット本体Ｐの上部縁は円弧状を形成することにより、カード取入れ口ｃＩの面積が拡大している。特にカード取入れ口ｃＩの中央部が大きな隙間を有しており、カードｃｄの角をカード取入れ口ｃＩの中央部からカードポケットｃＰ内に挿入すれば、カードｃｄをポケットｃＰ内に非常に容易に挿入することができる。
（Ｃ）図は、指でリングに力Ｆ（Ｋｇ重）を加える前における、カード取入れ口ｃＩの形状を表す。
（Ｄ）図は、指でリングに力Ｆ（Ｋｇ重）を加えた時における、カード取入れ口ｃＩの形状を表す。
以下、本発明に係るリング付き携帯情報端末ケース１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢと直交する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢに平行する水平軸ｚ方向の周りに−６０°〜６０°回転可能であることを特徴とするリング付き携帯情報端末ケース１００が開示されている。
○第１の発明の効果
第１の発明によれば、
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢと直交する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢに平行する水平軸ｚ方向の周りに−６０°〜６０°回転可能であることという特徴的な構成要件により、本発明が解決しようとする第１課題〜第６課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
リングＲのリング面ｒＦは、携帯情報端末ケースＣの背面ｃＢと直交する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることを特徴とする請求項１に記載されたリング付き携帯情報端末ケース１００が開示されている。
○第２の発明の効果
第２の発明によれば、
リングＲのリング面ｒＦは、携帯情報端末ケースＣの背面ｃＢと直交する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることという特徴的な構成要件により、本発明が解決しようとする第１課題〜第６課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることを特徴とする請求項１〜２の何れかに記載されたリング付き携帯情報端末ケース１００が開示されている。
○第３の発明の効果
第３の発明によれば、
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることという特徴的な構成要件により、本発明が解決しようとする第１課題〜第６課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢに平行する水平軸ｚ方向の周りに−６０°〜６０°回転可能であることを特徴とする請求項１〜３の何れかに記載されたリング付き携帯情報端末ケース１００が開示されている。
○第４の発明の効果
第４の発明によれば、
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢに平行する水平軸ｚ方向の周りに−６０°〜６０°回転可能であることという特徴的な構成要件により、本発明が解決しようとする第１課題〜第６課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
さらに、携帯情報端末ケースＣの背面ｃＢと平行する垂直軸ｙ方向の周りに無制限に回転可能であることを特徴とする請求項１〜４の何れかに記載されたリング付き携帯情報端末ケース１００が開示されている。
○第５の発明の効果
第５の発明によれば、
さらに、携帯情報端末ケースＣの背面ｃＢと平行する垂直軸ｙ方向の周りに無制限に回転可能であることという特徴的な構成要件により、本発明が解決しようとする第１課題〜第６課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
さらに、可撓ベルトＦＢが、人造皮革、プラスチック、布から製造されたものであることを特徴とする請求項１に記載された携帯情報端末ケースＣを特徴とする請求項１〜５の何れかに記載されたリング付き携帯情報端末ケース１００が開示されている。
○第６の発明の効果
第６の発明によれば
さらに、可撓ベルトＦＢが、人造皮革、プラスチック、布から製造されたものであることを特徴とする請求項１に記載された携帯情報端末ケースＣという特徴的な構成要件により、本発明が解決しようとする第１課題〜第６課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
さらに、カードポケットｃＰが、人造皮革、プラスチック、布から製造されたものであることを特徴とする請求項１に記載された携帯情報端末ケースＣを特徴とする請求項１〜６の何れかに記載されたリング付き携帯情報端末ケース１００が開示されている。
○第７の発明の効果
第７の発明によれば
さらに、カードポケットｃＰが、人造皮革、プラスチック、布から製造されたものであることという特徴的な構成要件により、本発明が解決しようとする第１課題〜第６課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることを特徴とする請求項１〜７の何れかに記載されたリング付き携帯情報端末ケース１００が開示されている。
○第８の発明の効果
第８の発明によれば
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることという特徴的な構成要件により、本発明が解決しようとする第１課題〜第６課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢに平行する水平軸ｚ方向の周りに回転可能であることを特徴とする請求項１〜８の何れかに記載されたリング付き携帯情報端末ケース１００が開示されている。
○第９の発明の効果
第９の発明によれば
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢに平行する水平軸ｚ方向の周りに回転可能であることという特徴的な構成要件により、本発明が解決しようとする第１課題〜第６課題を達成することができ、当業者予測不可能な顕著な効果を奏することができた。
【図面の簡単な説明】
【０００９】
【図１】図１は、本発明に係るリング付き携帯情報端末ケース１００の斜視図を表す。
【図２】図２は、本発明に係るリング付き携帯情報端末ケース１００の正面図を表す。
【図３】図３は、本発明に係るリング付き携帯情報端末ケース１００の背面図を表す。
【図４】図４は、本発明に係るリング付き携帯情報端末ケース１００の左側面図を表す。
【図５】図５は、本発明に係るリング付き携帯情報端末ケース１００の右側面図を表す。
【図６】図６は、本発明に係るリング付き携帯情報端末ケース１００の平面図を表す。
【図７】図７は、本発明に係るリング付き携帯情報端末ケース１００の底面図を表す。
【図８】図８は、本発明に係るリング付き携帯情報端末ケース１００のリングホルダー装置の拡大図を表す。（Ａ）図は、平面図（図６）の拡大図を表す。（Ｂ）図は、底面図（図７）の拡大図を表す。（Ｃ）図は、左側面図（図４）の拡大図を表す。（Ｄ）図は、右側面図（図５）の拡大図を表す。
【図９】図９は、本発明に係るリング付き携帯情報端末ケース１００のリングホルダー装置の製作過程の状態を示す図である。（Ａ）図は、ステップ１の状態を示す図である。（Ｂ）図は、ステップ２の状態を示す図である。（Ｃ）図は、ステップ３の状態を示す図である。（Ｄ）図は、ステップ４の状態を示す図である。（Ｅ）図は、ステップ５の状態を示す図である。
【図１０】図１０は、リングＲが、折返し部Ｕから受ける垂直力Ｐｖ（ｋｇ重）と摩擦力μＰｖ（ｋｇ重）により自重Ｗ（ｋｇ重）により倒れないように保持されることの理由を示す図である（角度θがθ’）。  点Ｏは、梁の中央部の断面中心の位置を表し、垂直力−２Ｑの作用点でもある。  腕の長さａｗ：自重Ｗ（Ｋｇ重）の点Ｏ周りの腕の長さをいう。  腕の長さａμ：  摩擦力μＰｖ（ｋｇ重）の点Ｏ周りの腕の長さをいう。
【図１１】図１１は、本発明に係るリング付き携帯情報端末ケース１００の使用状態を示す図である。携帯情報端末ケース１００を横向きにして立て掛け、リングＲを携帯情報端末ケース用スタンドとして用いている。
【図１２】図１２は、リングＲのリング面ｒＦが、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることを示す図である。（Ａ）図は、水平軸ｚ方向の周りの角度θが０度の場合のリングＲと梁Ｂの右側面図を表す。（Ｂ）図は、水平軸ｚ方向の周りの角度θがθ’度の場合のリングＲと梁Ｂの右側面図を表す。（Ｃ）図は、水平軸ｚ方向の周りの角度θが０度の場合には、リングＲがｙ方向側と−ｙ方向側に遊びスペースＡＳを有している状態（梁Ｂの両端の状態）を示している。（Ｄ）図は、水平軸ｚ方向の周りの角度θがθ’度の場合には、リングＲがリング空間ＲＳを移動して、リング空間ＲＳの―ｙ方向側に遊びスペースＡＳを有している状態（梁Ｂのｘ方向の片端の状態）を示している。（Ｅ）図は、水平軸ｚ方向の周りの角度θがθ’度の場合には、リングＲがリング空間ＲＳを移動して、リング空間ＲＳの―ｙ方向側に遊びスペースＡＳを有している状態（梁Ｂのｘ方向の他端の状態）を示している。  （Ａ）〜（Ｅ）図により、リングＲのリング面ｒＦが、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることが示された。
【図１３】図１３は、本発明に係るリング付き携帯情報端末ケース１００において、リングに指を挿入して、携帯情報端末ケースＣの背面ｃＢに対して直交する方向に、指でリングに力Ｆ（Ｋｇ重）を加えると、カード取入れ口ｃＩの面積が拡大して、カードｃｄをカードポケット内に容易に取入れることができることを示す図である。（Ａ）図は、右手で保持した、本発明に係るリング付き携帯情報端末ケース１００の背面図を表しており、指でリングに力Ｆ（Ｋｇ重）を加える前の状態を示す。  カード取入れ口ｃＩは殆ど隙間が無いスリット形状で表されている。（Ｂ）図は、右手で保持した本発明に係るリング付き携帯情報端末ケース１００の背面図を表しており、指でリングに力Ｆ（Ｋｇ重）を加えた時の状態を示す。カード取入れ口ｃＩ、Ｆ＝０（Ｋｇ重）の場合に比較して、ポケット本体Ｐの上部縁は円弧状を形成することにより、カード取入れ口ｃＩの面積が拡大している。特にカード取入れ口ｃＩの中央部が大きな隙間を有しており、カードｃｄの角をカード取入れ口ｃＩの中央部からカードポケットｃＰ内に挿入すれば、カードｃｄをポケットｃＰ内に非常に容易に挿入することができる。（Ｃ）図は、指でリングに力Ｆ（Ｋｇ重）を加える前における、カード取入れ口ｃＩの形状を表す。（Ｄ）図は、指でリングに力Ｆ（Ｋｇ重）を加えた時における、カード取入れ口ｃＩの形状を表す。
【符号の説明】
【００１０】
Ｐ……ポケット本体
ｃＰ……カードポケット
Ｒ……リング
ＦＢ……可撓ベルト
Ｃ……携帯情報端末ケース
１００……リング付き携帯情報端末ケース
ｃＢ……携帯情報端末ケースＣの背面
Ｆ１……下部固定部
Ｕ……折返し部
Ｂ……梁（折返し部Ｕの梁）
Ｆ２……上部固定部
ＲＳ……リング空間
ＡＳ……遊び空間
ｒＦ……リング面
Ｐｖ……垂直力（ｋｇ重）
μＰｖ……摩擦力（ｋｇ重）
ｃｄ…カード
ｃＩ…カード取入れ口
【図１】
2019050467.tif 000003
【図２】
2019050467.tif 000004
【図３】
2019050467.tif 000005
【図４】
2019050467.tif 000006
【図５】
2019050467.tif 000007
【図６】
2019050467.tif 000008
【図７】
2019050467.tif 000009
【図８】
2019050467.tif 000010
【図９】
2019050467.tif 000011
【図１０】
2019050467.tif 000012
【図１１】
2019050467.tif 000013
【図１２】
2019050467.tif 000014
【図１３】
2019050467.tif 000015
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢに平行する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることを特徴とするリング付き携帯情報端末ケース１００。
【請求項２】
リングＲのリング面ｒＦは、携帯情報端末ケースＣの背面ｃＢに平行する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることを特徴とする請求項１に記載されたリング付き携帯情報端末ケース１００。
【請求項３】
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることを特徴とする請求項１〜２の何れかに記載されたリング付き携帯情報端末ケース１００。
【請求項４】
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢと直交する水平軸ｚ方向の周りに−６０°〜６０°回転可能であることを特徴とする請求項１〜３の何れかに記載されたリング付き携帯情報端末ケース１００。
【請求項５】
さらに、携帯情報端末ケースＣの背面ｃＢと平行する垂直軸ｙ方向の周りに無制限に回転可能であることを特徴とする請求項１〜４の何れかに記載されたリング付き携帯情報端末ケース１００。
【請求項６】
さらに、可撓ベルトＦＢが、人造皮革、プラスチック、布から製造されたものであることを特徴とする請求項１に記載された携帯情報端末ケースＣを特徴とする請求項１〜５の何れかに記載されたリング付き携帯情報端末ケース１００。
【請求項７】
さらに、カードポケットｃＰが、人造皮革、プラスチック、布から製造されたものであることを特徴とする請求項１に記載された携帯情報端末ケースＣを特徴とする請求項１〜６の何れかに記載されたリング付き携帯情報端末ケース１００。
【請求項８】
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることを特徴とする請求項１〜７の何れかに記載されたリング付き携帯情報端末ケース１００。
【請求項９】
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢと直交する水平軸ｚ方向の周りに回転可能であることを特徴とする請求項１〜８の何れかに記載されたリング付き携帯情報端末ケース１００。
【手続補正２】
【補正対象書類名】明細書
【補正対象項目名】全文
【補正方法】変更
【補正の内容】
【発明の詳細な説明】
【技術分野】
【０００１】
本発明は、リング付き携帯情報端末ケースに関する。
より詳細には、リングホルダー装置を有するリング付き携帯情報端末ケースに関する。
【背景技術】
【０００２】
本願明細書においては、携帯情報端末ケースＣの背面において水平方向をｘ方向、携帯情報端末ケースＣの背面ｃＢにおいて垂直上向き方向（反重力方向）をｙ方向、携帯情報端末ケースＣの背面ｃＢに対して直交する方向をｚ方向、とする。
なお、水平方向とは、特に断らない限り、水平面に対して平行な方向をいい、垂直上向き方向（反重力方向）に対して直交する方向をいう。垂直方向とは、特に断らない限り、水平面に対して直交する方向をいい、垂直上向き方向（反重力方向）に対して直交する方向をいう。
従来の技術においては、ｘ方向軸回り、ｚ方向軸回りとも軸部と軸受部により回動する２軸回転機構を備えた携帯情報端末ケースが提案されていた。
しかし、２軸回転機構は、ｘ方向軸回り、ｚ方向軸回りとも軸部と軸受部が嵌合して回転する機構からなるため、軸部と軸受部の寸法が精密に製作される必要が有り、製造コストが高くなるという欠点を有していた。
さらに、２軸回転機構は、使っていくにつれ、回転摩耗により、軸部と軸受部が嵌合が緩くなって所定位置に固定し難くなるという欠点があった。
【発明の開示】
【０００３】
発明者は、かかる従来技術の欠点に鑑み鋭意研究した結果、本願発明を完成させた。
【先行技術文献】
【特許文献】
【０００４】
本願発明に係るリング付き携帯情報端末ケースについて、ＦＩ、キーワード検索を行ったところ、本件発明（請求項１〜７に記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
携帯情報端末ケースを縦向きにしても横向きにしても操作がしやすく、しかも落下を確実に防止できるリング付き携帯情報端末ケースを提供することである。
○本発明が解決しようとする第２課題
本発明が解決しようとする第２課題は、
折返し部が、リングを収納するためのリング空間を形成してなり、リング空間が、リングを収納した際に遊び空間ＡＳを確保してなる携帯情報端末ケースにあって、リングのリング面が、携帯情報端末ケースの背面に対して直交する場合、リングは、自重Ｗ（ｋｇ重）により倒れないように保持されてなるリング付き携帯情報端末ケースを提供することである。
○本発明が解決しようとする第３課題
本発明が解決しようとする第３課題は、
折返し部が、リングを収納するためのリング空間を形成してなり、リング空間が、リングを収納した際に遊び空間ＡＳを確保してなる携帯情報端末ケースにあって、携帯情報端末ケースＣの背面ｃＢに平行する水平軸ｘ方向の周りに―４５°〜４５°の場合、リングは、自重Ｗ（ｋｇ重）により倒れないように保持されてなるリング付き携帯情報端末ケースを提供することである。
○本発明が解決しようとする第４課題
本発明が解決しようとする第４課題は、
携帯情報端末ケースを横向きにした場合、さらに、リングホルダー部を携帯情報端末ケースを立て掛けるスタンド部として使用することができるリング付き携帯情報端末ケースを提供することである。
○本発明が解決しようとする第５課題
本発明が解決しようとする第５課題は、
リングに指を挿入して、携帯情報端末ケースの背面に対して直交する方向に、指でリングに力を加えると、カード取入れ口の面積が拡大して、カードをカードポケット内に容易に取入れることができるリング付き携帯情報端末ケースを提供することである。
○本発明が解決しようとする第６課題
本発明が解決しようとする第６課題は、
ポケット体Ｐが、リングＲと可撓ベルトＦＢから構成されるリングホルダー装置の他に、ポケット体Ｐの可撓性により、リングＲに水平軸ｚ方向の周りの変位角θを吸収できるリング付き携帯情報端末ケースを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○携帯情報端末９９とは、スケジュール、ＴｏＤｏ、住所録、メモなどの情報を携帯して扱うための小型機器をいう。Ｐｅｒｓｏｎａｌ  Ｄｉｇｉｔａｌ  Ａｓｓｉｓｔａｎｔ（Ｐｅｒｓｏｎａｌ  Ｄａｔａ  Ａｓｓｉｓｔａｎｔと表現されることもある）を略してＰＤＡと一般に呼ばれることが多い。ＰＤＡは、アップル・ニュートンの開発を推進した１９９０年代初頭のアップルコンピュータＣＥＯだったジョン・スカリーによる造語である。
２０００年代のＰＤＡは静止画閲覧、ネットアクセス、動画再生など多くの機能を実装したマルチメディア端末となった。２０１０年代現在のＰＤＡは、メディアプレーヤやタブレット端末およびスマートフォンなどの携帯デバイスの市場に吸収された形となっている。
○携帯情報端末ケースＣとは、携帯情報端末９９を収納するためのケースをいう。
本願発明では、携帯情報端末ケースＣは、例えば、背面板、左右側面板の３面板、あるいは、背面板、平面板、底面板、左右側面板の５面板から構成される。
○ポケット体Ｐとは、携帯情報端末ケースＣの背面ｃＢに設置することにより、カードポケットｃＰを構成するものをいう。
○カードポケットｃＰとは、カードｃｄを収納するための袋をいい、ポケット体Ｐと携帯情報端末ケースＣの背面ｃＢから構成される。
○カードｃｄとは、小さな四角い紙（特に、ある規格に従ってそろえたもの）、あるいは「クレジットカード」、「キャッシュカード」、「ＩＣカード」、「テレホンカード」等をいう。
○袋とは、カード取入れ口ｃＩに該当する一辺を除いて他の辺が接着されているものをいう。
●カード取入れ口ｃＩとは、カードｃｄを取り入れるためのカードポケットｃＰの入口をいう。
●リングＲとは、携帯情報端末ケースＣを背面側を手で握って、指（人差し指等）を挿入することにより、携帯情報端末ケースを縦向きにしても横向きにしても操作がしやすく、しかも落下を確実に防止できるリング状の物をいう。
●リング面ｒＦとは、リングＲの断面の中心線を通る平面をいう。
○２軸角度とは、後述するｘｙｚ座標系において、リングＲのｘ方向軸回りの角度φ、リングＲのｚ方向軸回りの角度θをいう。
●接着されてとは、（厳密には、カードポケットｃＰの構成要素であるポケット体Ｐ）の周囲３辺（（カード取入れ口ｃＩに該当する一辺を除く他の周囲３辺）が携帯情報端末ケースＣの背面ｃＢに縫着（縫って取付ける）されて、又は、接着剤の接着により取付けられて、又は、圧着されて等をいう。
○可撓ベルトＦＢとは、
（１）リングＲのリング面ｒＦが、携帯情報端末ケースＣの背面ｃＢに対して直交する場合、携帯情報端末ケースＣの背面ｃＢに平行する水平軸ｘ方向の周りに−４５°〜４５°の場合、リングＲが、折返し部Ｕから受ける垂直力Ｐｖ（ｋｇ重）と摩擦力μＰｖ（ｋｇ重）により自重Ｗ（ｋｇ重）により倒れないように保持されてなるために、
（２）リングＲの２軸角度（リングＲのｘ方向軸回りの角度φ、リングＲのｚ方向軸回りの角度θ）を可変調整するために、折り返されてなる可撓性の装着具をいう。
本発明に係る可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを形成してなり、リング空間ＲＳは、リングＲを収納した際に遊び空間ＡＳを確保してなり、かつ、下部固定部Ｆ１と上部固定部Ｆ２は、共にカードポケットｃＰに移動不能に拘束されてなると共に、折返し部ＵはカードポケットｃＰに対して移動可能になっている可撓性の装着具をいう。
カードポケットｃＰに対して移動可能になっている折返し部Ｕが、可撓性の材料からなる必要が有る。カードポケットｃＰに拘束されてなる下部固定部Ｆ１と上部固定部Ｆ２は、可撓性の材料からなっても良いが、必ずしも可撓性の材料からなる必要はない。
○下部固定部Ｆ１とは、可撓ベルトＦＢの構成要素であって、折返し部Ｕと一体に接続されてなると共に、下部固定部Ｆ１は、カードポケットｃＰに移動不能に拘束されてなる（例えば、下部固定部Ｆ１がカードポケットｃＰに接着されてなることが例示される。）。
○上部固定部Ｆ２とは、可撓ベルトＦＢの構成要素であって、折返し部Ｕと一体に接続されてなると共に、上部固定部Ｆ２は、カードポケットｃＰに移動不能に拘束されてなる（例えば、上部固定部Ｆ２が下部固定部Ｆ１に一体に接着されてなり、下部固定部Ｆ１がカードポケットｃＰに接着されてなることが例示される。）。
○折返し部Ｕとは、可撓ベルトＦＢの中央部分を構成する構成要素であって、リングＲが自重Ｗ（ｋｇ重）により倒れないように保持すると共に、とリングＲの２軸角度を可変調整するための部分である。
本発明に係る折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、カードポケットｃＰに移動不能に拘束されてなると共に、折返し部ＵはカードポケットｃＰに対して移動可能になっている。
○梁Ｂとは、リング空間ＲＳを内部に有する折返し部Ｕにおいて、折返し部Ｕが垂直力Ｐｖと摩擦力μＰｖをリングＲに伝える強度部材をいう（図９の（Ｅ））。
以下、＜リングＲと可撓ベルトＦＢの製作フロー＞を参照しながら説明をする。
最初は梁Ｂは断面中心が水平な梁であるが、梁の両端に荷重Ｐ、梁の中心に荷重−２Ｑを加えて、断面中心が水平な梁を変形させて曲梁とする。曲梁に作用している応力を残留応力ということにする（図９の（Ａ）〜（Ｅ））。
図９の  （Ｅ）においては、リングＲは曲梁のリング空間ＲＳに挿入されてなり、梁の両端において、リングＲと曲梁の上部内壁が接触し、梁の中央部において、リングＲと曲梁の下部内壁が接触し、リングＲは、梁の両端において、折返し部Ｕから受ける垂直力Ｐｖ（ｋｇ重）と摩擦力μＰｖ（ｋｇ重）を受け、リングＲが自重Ｗ（ｋｇ重）により倒れないように保持される（図９の（Ａ）〜（Ｅ）、図１０）。
リングＲは、梁の中央部において、折返し部Ｕから受ける垂直力−２Ｑｖ（ｋｇ重）と摩擦力−２μＱｖ（ｋｇ重）を受ける（図９の（Ｅ））。
なお、垂直力Ｐｖ（ｋｇ重）と摩擦力μＰｖ（ｋｇ重）は、曲梁の残留応力により生じる力であり、リングＲに作用する力・モーメントの釣り合いを考える時には、垂直力Ｐｖ（ｋｇ重）と摩擦力μＰｖ（ｋｇ重）の他リングＲの自重Ｗ（ｋｇ重）も考慮しなければならない。
○「リングＲは、携帯情報端末ケースＣの背面ｃＢに平行する水平軸ｘ方向の周りに−９０°〜９０°回転可能であり」とは、リングＲを使用する場合は、リングＲのｚ方向軸回りの角度φ≒０°となるが、リングＲを使用しないで収納する場合は、角度φ≒±９０となるので、φは−９０°〜９０°の回転角を取り得る。
○リング空間ＲＳとは、折返し部Ｕの梁Ｂの横断面の内部空間をいい、リングＲの断面と遊び空間ＡＳからなる。
○遊び空間ＡＳとは、折返し部Ｕの梁Ｂの横断面の内部空間であるリング空間ＲＳから、リングＲの断面を除いた残りの空間をいう。
遊び空間ＡＳは、リング空間ＲＳに確保してなることにより、リングＲがリング空間ＲＳを移動することにより、リングＲのリング面ｒＦは、携帯情報端末ケースＣの背面ｃＢと直交する水平軸ｚ方向の周りに−６０°〜６０°回転可能であることが可能となる。
○リングホルダー装置とは、リングＲと可撓ベルトＦＢから構成される装置をということにする。携帯情報端末ケースＣの背面ｃＢに装着されてなる。
○「携帯情報端末ケースＣの背面ｃＢと直交する軸ｚ方向の周りに−６０°〜６０°回転可能であること」とは、リングＲを使用しない場合は、リングＲのｚ方向軸回りの角度θ≒０°となるが、リングＲを使用する場合は、角度θ≒リングＲに挿入する指の方向になるので、θは−６０°〜６０°の回転角を取り得る。
本発明においては、水平軸ｚ方向の周りに−６０°〜６０°回転可能する軸部と軸受部から構成される回転軸はなく、下部固定部Ｆ１は、カードポケットｃＰに拘束されてなると共に、折返し部ＵはカードポケットｃＰｉに拘束されないので、指をリングＲに挿入して、携帯情報端末ケースＣを掴むと、折返し部Ｕは携帯情報端末ケースＣの背面から浮き上がって縮むことにより、折返し部Ｕは、軸ｚ方向の周りに−６０°〜６０°の回転角を取り得る。
○人造皮革とは、皮革に似せて作られた人工素材をいい、合成皮革と人工皮革（じんこうひかく）に分けられる。
○合成皮革は、天然の布地を基材とし、合成樹脂を塗布したものである。
塗布剤にはポリ塩化ビニル（ビニール、ＰＶＣ、Ｐｏｌｙｖｉｎｙｌ  ｃｈｌｏｒｉｄｅ、ポリビニールクロライドと表記）やポリウレタン（ＰＵやＰｏｌｙｕｒｅｔｈａｎｅ、ウレタン樹脂、ウレタンゴムと表記）が、含浸剤にはポリウレタンがよく使われる。
○人工皮革は、マイクロファイバーの布地（通常不織布）に合成樹脂を含浸させたものを、そのまま使うか、それを基材とし合成樹脂を塗布したものである。衣類や靴に使われるのは主に人工皮革である（クラレ社のクラリーノなど）。
塗布剤にはポリ塩化ビニル（ビニール、ＰＶＣ、Ｐｏｌｙｖｉｎｙｌ  ｃｈｌｏｒｉｄｅ、ポリビニールクロライドと表記）やポリウレタン（ＰＵやＰｏｌｙｕｒｅｔｈａｎｅ、ウレタン樹脂、ウレタンゴムと表記）が、含浸剤にはポリウレタンがよく使われる。
○プラスチックとは、主に石油を原料とし、加温した状態で粘い流動性を示し、所定の形に成形できる有機高分子物質のなかの天然樹脂、合成樹脂の総称。合成樹脂およびそれらの成形物の事を指す事が多い。ポリ塩化ビニル、ポリスチレン、ポリプロピレン、ポリエチレンが四大プラスチックとよばれ、世界の生産量の６０％以上を占めている。また、ポリカーボネートやポリアセタール樹脂などは、一般のプラスチックに比べて丈夫で、耐熱性や耐久性に優れている。
○布とは、多数の繊維を薄く広い板状に加工したものを指す。作り方によって織物、編み物（メリヤス生地）、レース、フェルト、不織布に分けられ、使用している繊維の種類、織り方、編み方により性質が決まる。古代日本では植物繊維で作られた物のみを指し、絹織物や毛織物は「布」とは呼ばれていなかったが、現在は繊維の材質に関わらず布と呼ぶ。衣類、装飾、税などに使用される。歴史上では、貴重な材質の布は、一種の貨幣としても流通した。
●飾りベルトとは、本発明の構成要素ではなく，本物品のデザイン性アップのために携帯情報端末ケースＣの背面ｃＢに設置されたベルトである。
＜記号の説明＞
○垂直力Ｐｖ（ｋｇ重）とは、リングＲと折返し部Ｕの梁Ｂが接触している接触面に垂直な方向に作用する力（ｋｇ重）をいう。
リングＲの上面部と折返し部Ｕの梁Ｂの両端の上部内壁が接触していることにより、リングＲは、垂直力Ｐｖ（ｋｇ重）を受ける（図９の（Ｅ））。逆に、梁Ｂは、リングＲから、垂直力−Ｐｖ（ｋｇ重）を受ける。
また、リングＲの下面部と折返し部Ｕの梁Ｂの中央部の下部内壁が接触していることにより、リングＲは、垂直力２Ｑｖ（ｋｇ重）を受ける（図９の（Ｅ））。
○摩擦力μＰｖ（ｋｇ重）とは、リングＲと折返し部Ｕの梁Ｂが接触している接触面に平行な方向に作用する力（ｋｇ重）をいう。
リングＲの上面部と折返し部Ｕの梁Ｂの両端の上部内壁が接触していることにより、リングＲは、摩擦力μＰｖ（ｋｇ重）を受ける（図９の（Ｅ）、図１０）。
また、リングＲの下面部と折返し部Ｕの梁Ｂの中央部の下部内壁が接触していることにより、リングＲは、摩擦力μ２Ｑｖ（ｋｇ重）を受ける（図９の（Ｅ））。
●自重Ｗ（ｋｇ重）とは、本発明においては、リングＲの自重（ｋｇ重）をいう。自重Ｗ（ｋｇ重）の作用する方向は、ｚ方向とする。
ｙ方向が垂直軸方向（反重力方向）としているが、自重Ｗ（ｋｇ重）を考慮する場合には、重力の向きが、ｙ方向からｚ方向になったと考えることにする。
このように考えても一般性を失わない。
すなわち、自重Ｗ（ｋｇ重）とは、ｚ方向に作用する自重Ｗ（ｋｇ重）、あるいは、ｚ方向の自重Ｗ（ｋｇ重）をいう。
自重Ｗ（ｋｇ重）を考慮しない場合には、重力が−ｙ方向に作用すると考える。
○摩擦係数μ（無次元）とは、２つの物体（リングＲと折返し部Ｕの梁Ｂ）接触面に働く摩擦力と、接触面に直交する方向に作用する垂直力との比をいう。
本発明においては、摩擦係数μ（無次元）とは、静止している２つの物体（リングＲと折返し部Ｕの梁Ｂ）接触面に働く摩擦力をいい、最大静摩擦係数μｍａｘ以下の場合をいう。摩擦係数μ（無次元）が最大静摩擦係数μｍａｘ以下であれば、２つの物体は静止していて動かないが、最大静摩擦係数μｍａｘを超えれば、２つの物体は相対的に動く。
すなわち、摩擦係数μ（無次元）を、力の釣り合い式、モーメントの釣り合い式から算出し、その値が最大静摩擦係数μｍａｘ以下であることを確認する。
○ｘｙｚ座標系とは、直交した３軸で作られる右手座標系をいう。ｘ方向、ｙ方向、ｚ方向は、下記で定義され、ｘ方向、ｙ方向、ｚ方向の角度φ、θ、ηは、右ネジをｘ方向、ｙ方向、ｚ方向にそれぞれ押し込む方向を正とする。
○水平軸ｘ方向とは、携帯情報端末ケースＣの背面図において、携帯情報端末ケースＣの背面に平行な水平方向であって、右側から左側に向かう方向を正とする方向をいう。リング面が、ｙ方向と直交する時の角度φを、０°とする。
○垂直軸ｙ方向とは、携帯情報端末ケースＣの背面図において、携帯情報端末ケースＣの背面に平行する垂直軸方向であって、下側から上側に向かう方向を正とする方向をいう。リング面ｒＦが、ｙ方向と直交する時の角度φを、０°とする。
○水平軸ｚ方向とは、携帯情報端末ケースＣの背面図において、携帯情報端末ケースＣの背面に直交する水平方向であって、携帯情報端末ケースＣの正面から背面に向かう方向を正とする方向をいう。
○角度φとは、水平軸ｘ方向の周りの回転角度（°）をいう。右ネジが水平軸ｘ方向に進む方向を正とする。
本願発明においては、角度φとは、リング面のｘ方向の周りの回転角度をいう。
○角度ηとは、垂直軸ｙ方向の周りの回転角度を（°）をいう。右ネジが垂直軸ｙ方向に進む方向を正とする。
本願発明においては、角度ηとは、リング面のｙ方向の周りの回転角度をいう。
○角度θとは、水平軸ｚ方向の周り回転角度を（°）をいう。右ネジが水平軸ｚ方向に進む方向を正とする。
本願発明においては、角度θとは、リング面のｚ方向の周りの回転角度をいう。
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＜リングＲと可撓ベルトＦＢの製作フロー＞
リングＲと可撓ベルトＦＢから構成される装置を、リングホルダー装置ということにする。
リングＲが折返し部Ｕから垂直力Ｐｖ（ｋｇ重）と摩擦力μＰｖ（ｋｇ重）から受けるリングホルダー装置の製作フローを、図９に基づいて、以下説明する。
なお、上部、下部とあるのは、図９の図面視、上部、下部をいう。
○Ｓ１：ステップ１  最初の状態
最初の状態とは、断面中心が水平な梁Ｂのリング空間ＲＳ内にリングＲと同じ断面形状の棒材を挿入して、リングＲが梁Ｂの下部内壁に接触するよう載置された状態をいう（図９の（Ａ））。
○Ｓ２：ステップ２  棒材の曲率半径ｒを小さくしていく過程
上記棒材を円弧状に曲げて当該円弧の曲率半径ｒを小さくしていく。最初の状態から第３の状態になるまで、続ける（図９の（Ｂ））。
○Ｓ３：ステップ３  次の状態
次の状態とは、上記棒材の上面が、梁Ｂの両端の上部内壁に接触した状態をいう（図９の（Ｃ））。
○Ｓ４：ステップ４  棒材の曲率半径ｒを小さくしていく過程
さらに、円弧状に曲げられた棒材の円弧の曲率半径ｒを段段小さくしていく（図９の（Ｄ））。
ここにおいて、梁Ｂは変形して、円弧状に曲げられた棒材の上面は、梁Ｂの両端の上部内壁より垂直力Ｐ（ｋｇ重）を受ける。逆に、梁Ｂの両端の上部内壁には、垂直力−Ｐ（ｋｇ重）が作用する。梁Ｂの両端の上部内壁に作用する垂直力−Ｐ（ｋｇ重）により、梁Ｂには応力が作用する。
円弧状に曲げられた棒材の円弧の曲率半径ｒを段段小さくしていくにつれ、垂直力Ｐ（ｋｇ重）は段段増加していく。梁Ｂに作用する応力も段段増加していく。
○Ｓ５：ステップ５  最後の状態
最後の状態とは、円弧状に曲げられた棒材の円弧の曲率半径ｒを段段小さくしていき、上記棒材を円弧状に曲げて当該円弧の曲率半径ｒを小さくしていき、円弧状に曲げられた棒材の円弧の曲率半径ｒがリングＲの半径Ｒｒ（ｃｍ）に等しくなった状態をいう（図９の（Ｅ））。
最後の状態においては、垂直力Ｐ（ｋｇ重）＝垂直力Ｐｖ（ｋｇ重）になる。
最後の状態においては、梁Ｂの両端の上部内壁に作用する垂直力−Ｐｖ（ｋｇ重）により、梁Ｂには応力が作用する。なお、最終状態において、梁Ｂに作用する応力を残留応力という。  
すなわち、リングＲが垂直力Ｐｖ（ｋｇ重）受ける場合、摩擦力の特性から、垂直力Ｐｖ（ｋｇ重）に接触面に水平な方向に摩擦力μＰｖ（ｋｇ重）も作用する。
円弧状に曲げられた棒材の円弧の曲率半径ｒがリングＲの半径Ｒｒ（ｃｍ）に等しくなった場合、円弧上の棒材の両端は一体に接着されて継ぎ目が分らなくなる。
＜まとめ＞
上記により、請求項１に記載された「リングＲは、折返し部Ｕから受ける垂直力Ｐｖ（ｋｇ重）と摩擦力μＰｖ（ｋｇ重）により…」の記載内容が説明された。
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＜リングＲは、折返し部Ｕから受ける垂直力Ｐｖ（ｋｇ重）と摩擦力μＰｖ（ｋｇ重）により自重Ｗ（ｋｇ重）により倒れないように保持されてなることの説明について＞
前述＜リングＲと可撓ベルトＦＢの製作＞において、リングＲは、折返し部Ｕから垂直力Ｐｖ（ｋｇ重）と摩擦力μＰｖ（ｋｇ重）を受けることは説明した。
また、折返し部Ｕの梁Ｂには、残留応力が作用していることも説明した。
かかる残留応力により、リングＲは、折返し部Ｕから垂直力Ｐｖ（ｋｇ重）と摩擦力μＰｖ（ｋｇ重）を受けることができる。
そして、リングＲは、梁Ｂの両端において、折返し部Ｕから受ける垂直力Ｐｖ（ｋｇ重）と摩擦力μＰｖ（ｋｇ重）を受け、リングＲが自重Ｗ（ｋｇ重）により倒れないように保持される。
リングＲが自重Ｗ（ｋｇ重）により倒れないように保持される理由を、図１０に基づいて、説明する。
リングＲは、垂直力Ｐｖ（ｋｇ重）と摩擦力μＰｖ（ｋｇ重）を受ける。すなわち、リングＲに、垂直力Ｐｖ（ｋｇ重）と摩擦力μＰｖ（ｋｇ重）が作用する（図１０）。
点Ｏ廻りのモーメントの釣合を考えれば、以下の式が成立する。
μＰｖ×ａμ＝Ｗ×ａｗ……式（１）
ここに、μ≦最大静摩擦係数μｍａｘ
上式を変形して、
μ＝Ｗ×ａｗ／（Ｐｖ×ａμ）……式（１’）
式（１’）により算出されたμが、最大静摩擦係数μｍａｘであれば、リングＲが自重Ｗ（ｋｇ重）により倒れないように保持されることが証明された。
逆に、リングＲが自重Ｗ（ｋｇ重）により倒れないように保持されるためには、μＰｖを大きくすればよいことが分る。
また、リングＲは、梁Ｂの中央部において、折返し部Ｕから受ける垂直力−２Ｑｖ（ｋｇ重）と摩擦力−２μＱｖ（ｋｇ重）を受ける（図９の（Ｅ））。
なお、垂直力Ｐｖ（ｋｇ重）と摩擦力μＰｖ（ｋｇ重）は、曲梁の残留応力により生じる力であり、リングＲに作用する力・モーメントの釣り合いを考える時には、垂直力Ｐｖ（ｋｇ重）と摩擦力μＰｖ（ｋｇ重）の他リングＲの自重Ｗ（ｋｇ重）も考慮しなければならない（図９の（Ｅ））。
すなわち、下式の近似式が成立する。
２Ｑｖ≒２Ｐｖ＋Ｗ……式（２）
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＜周囲３辺が携帯情報端末ケースＣの背面ｃＢに接着されてなるカードポケットｃＰに、リングＲと可撓ベルトＦＢから構成されるリングホルダー装置が装着されてなる構成の意義＞
リングＲと可撓ベルトＦＢから構成されるリングホルダー装置が直接携帯情報端末ケースＣの背面ｃＢに装着されるのではなく、周囲３辺が携帯情報端末ケースＣの背面ｃＢに接着されてなるカードポケットｃＰに装着されることの意義について以下論ずる（図１３の（Ａ）〜（Ｄ））。
発明者は、本発明に係るリング付き携帯情報端末ケース１００を試作していて、リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることに初めて気が付いた（図１３の（Ａ）〜（Ｄ））。
上記に関連して、リングＲに指を挿入して、携帯情報端末ケースＣの背面ｃＢに対して直交する−ｚ方向に、指でリングＲに力を加えると、カード取入れ口ｃＩの面積が拡大すると共に（図１３の（Ａ）〜（Ｄ））、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢと直交する水平軸ｚ方向の周りに回転可能であることにも初めて気が付いた。
ポケット体Ｐが、リングＲと可撓ベルトＦＢから構成されるリングホルダー装置の他に、ポケット体Ｐの可撓性により、リングＲに水平軸ｚ方向の周りの変位角θを吸収できることが分り、より大きな変位角θの吸収できるという顕著な効果を発揮できることができた。
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＜２軸回転機構（従来技術）と本発明との比較について＞
２軸回転機構が、ｘ方向軸回り、ｚ方向軸回りとも軸部と軸受部が嵌合して回転する機構であるのに対して、本発明は、少なくとも、ｚ方向軸回りについては、軸部と軸受部が嵌合して回転する機構を有していないので、２軸回転機構（従来技術）と本発明とは構成を異にしている。
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢに平行する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることを特徴とするリング付き携帯情報端末ケース１００である。
○第２の発明（請求項２に記載の発明）
上記の課題を解決するための第２の発明（請求項２に記載の発明）は、
リングＲのリング面ｒＦは、携帯情報端末ケースＣの背面ｃＢに平行する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることを特徴とする請求項１に記載されたリング付き携帯情報端末ケース１００である。
○第３の発明（請求項３に記載の発明）
上記の課題を解決するための第３の発明（請求項３に記載の発明）は、
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることを特徴とする請求項１〜２の何れかに記載されたリング付き携帯情報端末ケース１００である。
○第４の発明（請求項４に記載の発明）
上記の課題を解決するための第４の発明（請求項４に記載の発明）は、
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢと直交する水平軸ｚ方向の周りに−６０°〜６０°回転可能であることを特徴とする請求項１〜３の何れかに記載されたリング付き携帯情報端末ケース１００である。
○第５の発明（請求項５に記載の発明）
上記の課題を解決するための第５の発明（請求項５に記載の発明）は、
さらに、携帯情報端末ケースＣの背面ｃＢと平行する垂直軸ｙ方向の周りに無制限に回転可能であることを特徴とする請求項１〜４の何れかに記載されたリング付き携帯情報端末ケース１００である。
○第６の発明（請求項６に記載の発明）
上記の課題を解決するための第６の発明（請求項６に記載の発明）は、
さらに、可撓ベルトＦＢが、人造皮革、プラスチック、布から製造されたものであることを特徴とする請求項１に記載された携帯情報端末ケースＣを特徴とする請求項１〜５の何れかに記載されたリング付き携帯情報端末ケース１００である。
○第７の発明（請求項７に記載の発明）
上記の課題を解決するための第７の発明（請求項７に記載の発明）は、
さらに、カードポケットｃＰが、人造皮革、プラスチック、布から製造されたものであることを特徴とする請求項１〜６の何れかに記載されたリング付き携帯情報端末ケース１００である。
○第８の発明（請求項８に記載の発明）
上記の課題を解決するための第８の発明（請求項８に記載の発明）は、
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることを特徴とする請求項１〜７の何れかに記載されたリング付き携帯情報端末ケース１００である。
○第９の発明（請求項９に記載の発明）
上記の課題を解決するための第９の発明（請求項９に記載の発明）は、
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢと直交する水平軸ｚ方向の周りに回転可能であることを特徴とする請求項１〜８の何れかに記載されたリング付き携帯情報端末ケース１００である。
【発明の効果】
【０００７】
本発明に係るリング付き携帯情報端末ケース１００は、上記のような特徴的構成要件から構成され、特徴的構成要件に応じた、以下のような本願発明特有の効果を奏する。
また、上記の各発明に応じた、上記のような特徴的構成要件から構成されたリング付き携帯情報端末ケース１００によれば、本願発明の課題を十分解消することができた。
○第１の発明の効果
第１の発明によれば、
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢに平行する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることという特徴的な構成要件により、本発明が解決しようとする第１課題〜第６課題を達成することができ、当業者予測不可能な顕著な効果を奏することができた。
○第２の発明の効果
第２の発明によれば、
リングＲのリング面ｒＦは、携帯情報端末ケースＣの背面ｃＢに平行する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることという特徴的な構成要件により、本発明が解決しようとする第１課題〜第６課題を達成することができ、当業者予測不可能な顕著な効果を奏することができた。
○第３の発明の効果
第３の発明によれば、
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることという特徴的な構成要件により、本発明が解決しようとする第１課題〜第６課題を達成することができ、当業者予測不可能な顕著な効果を奏することができた。
○第４の発明の効果
第４の発明によれば、
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢと直交する水平軸ｚ方向の周りに−６０°〜６０°回転可能であることという特徴的な構成要件により、本発明が解決しようとする第１課題〜第６課題を達成することができ、当業者予測不可能な顕著な効果を奏することができた。
○第５の発明の効果
第５の発明によれば、
さらに、携帯情報端末ケースＣの背面ｃＢと平行する垂直軸ｙ方向の周りに無制限に回転可能であることという特徴的な構成要件により、本発明が解決しようとする第１課題〜第６課題を達成することができ、当業者予測不可能な顕著な効果を奏することができた。
○第６の発明の効果
第６の発明によれば、
さらに、可撓ベルトＦＢが、人造皮革、プラスチック、布から製造されたものであることを特徴とする請求項１に記載された携帯情報端末ケースＣという特徴的な構成要件により、本発明が解決しようとする第１課題〜第６課題を達成することができ、当業者予測不可能な顕著な効果を奏することができた。
○第７の発明の効果
第７の発明によれば、
さらに、カードポケットｃＰが、人造皮革、プラスチック、布から製造されたものであることという特徴的な構成要件により、本発明が解決しようとする第１課題〜第６課題を達成することができ、当業者予測不可能な顕著な効果を奏することができた。
○第８の発明の効果
第８の発明によれば、
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることという特徴的な構成要件により、本発明が解決しようとする第１課題〜第６課題を達成することができ、当業者予測不可能な顕著な効果を奏することができた。
○第９の発明の効果
第９の発明によれば、
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢと直交する水平軸ｚ方向の周りに回転可能であることという特徴的な構成要件により、本発明が解決しようとする第１課題〜第６課題を達成することができ、当業者予測不可能な顕著な効果を奏することができた。
【発明を実施するための最良の形態】
【０００８】
以下、本発明に係る、リング付き携帯情報端末ケース１００に関する最良の実施形態について、図面を参照しながら説明する。
［図１］
図１は、本発明に係るリング付き携帯情報端末ケース１００の斜視図を表す。
［図２］
図２は、本発明に係るリング付き携帯情報端末ケース１００の正面図を表す。
［図３］
図３は、本発明に係るリング付き携帯情報端末ケース１００の背面図を表す。
［図４］
図４は、本発明に係るリング付き携帯情報端末ケース１００の左側面図を表す。
［図５］
図５は、本発明に係るリング付き携帯情報端末ケース１００の右側面図を表す。
［図６］
図６は、本発明に係るリング付き携帯情報端末ケース１００の平面図を表す。
［図７］
図７は、本発明に係るリング付き携帯情報端末ケース１００の底面図を表す。
［図８］
図８は、本発明に係るリング付き携帯情報端末ケース１００のリングホルダー装置の拡大図を表す。（Ａ）図は、平面図（図６）の拡大図を表す。（Ｂ）図は、底面図（図７）の拡大図を表す。（Ｃ）図は、左側面図（図４）の拡大図を表す。（Ｄ）図は、右側面図（図５）の拡大図を表す。
［図９］
図９は、本発明に係るリング付き携帯情報端末ケース１００のリングホルダー装置の製作過程の状態を示す図である。（Ａ）図は、ステップ１の状態を示す図である。（Ｂ）図は、ステップ２の状態を示す図である。（Ｃ）図は、ステップ３の状態を示す図である。（Ｄ）図は、ステップ４の状態を示す図である。（Ｅ）図は、ステップ５の状態を示す図である。
［図１０］
図１０は、リングＲが、折返し部Ｕから受ける垂直力Ｐｖ（ｋｇ重）と摩擦力μＰｖ（ｋｇ重）により自重Ｗ（ｋｇ重）により倒れないように保持されることの理由を示す図である（角度θがθ’）。
点Ｏは、梁の中央部の断面中心の位置を表し、垂直力−２Ｑの作用点でもある。
腕の長さａｗ：自重Ｗ（Ｋｇ重）の点Ｏ周りの腕の長さをいう。
腕の長さａμ：  摩擦力μＰｖ（ｋｇ重）の点Ｏ周りの腕の長さをいう。
［図１１］
図１１は、本発明に係るリング付き携帯情報端末ケース１００の使用状態を示す図である。携帯情報端末ケース１００を横向きにして立て掛け、リングＲを携帯情報端末ケース用スタンドとして用いている。
［図１２］
図１２は、リングＲのリング面ｒＦが、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることを示す図である。
（Ａ）図は、水平軸ｚ方向の周りの角度θが０度の場合のリングＲと梁Ｂの右側面図を表す。
（Ｂ）図は、水平軸ｚ方向の周りの角度θがθ’度の場合のリングＲと梁Ｂの右側面図を表す。
（Ｃ）図は、水平軸ｚ方向の周りの角度θが０度の場合には、リングＲがｙ方向側と−ｙ方向側に遊びスペースＡＳを有している状態（梁Ｂの両端の状態）を示している。
（Ｄ）図は、水平軸ｚ方向の周りの角度θがθ’度の場合には、リングＲがリング空間ＲＳを移動して、リング空間ＲＳの―ｙ方向側に遊びスペースＡＳを有している状態（梁Ｂのｘ方向の片端の状態）を示している。
（Ｅ）図は、水平軸ｚ方向の周りの角度θがθ’度の場合には、リングＲがリング空間ＲＳを移動して、リング空間ＲＳの―ｙ方向側に遊びスペースＡＳを有している状態（梁Ｂのｘ方向の他端の状態）を示している。
（Ａ）〜（Ｅ）図により、リングＲのリング面ｒＦが、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることが示された。
［図１３］
図１３は、本発明に係るリング付き携帯情報端末ケース１００において、リングに指を挿入して、携帯情報端末ケースＣの背面ｃＢに対して直交する方向に、指でリングに力Ｆ（Ｋｇ重）を加えると、カード取入れ口ｃＩの面積が拡大して、カードｃｄをカードポケット内に容易に取入れることができることを示す図である。
（Ａ）図は、右手で保持した、本発明に係るリング付き携帯情報端末ケース１００の背面図を表しており、指でリングに力Ｆ（Ｋｇ重）を加える前の状態を示す。
カード取入れ口ｃＩは殆ど隙間が無いスリット形状で表されている。
（Ｂ）図は、右手で保持した本発明に係るリング付き携帯情報端末ケース１００の背面図を表しており、指でリングに力Ｆ（Ｋｇ重）を加えた時の状態を示す。カード取入れ口ｃＩ、Ｆ＝０（Ｋｇ重）の場合に比較して、ポケット本体Ｐの上部縁は円弧状を形成することにより、カード取入れ口ｃＩの面積が拡大している。特にカード取入れ口ｃＩの中央部が大きな隙間を有しており、カードｃｄの角をカード取入れ口ｃＩの中央部からカードポケットｃＰ内に挿入すれば、カードｃｄをポケットｃＰ内に非常に容易に挿入することができる。
（Ｃ）図は、指でリングに力Ｆ（Ｋｇ重）を加える前における、カード取入れ口ｃＩの形状を表す。
（Ｄ）図は、指でリングに力Ｆ（Ｋｇ重）を加えた時における、カード取入れ口ｃＩの形状を表す。
以下、本発明に係るリング付き携帯情報端末ケース１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢに平行する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることを特徴とするリング付き携帯情報端末ケース１００が開示されている。
○第１の発明の効果
第１の発明によれば、
カードポケットｃＰと指を挿入するリングＲとリングＲの２軸角度を可変調整するために折り返されてなる可撓ベルトＦＢと携帯情報端末ケースＣからなるリング付き携帯情報端末ケース１００において、カードポケットｃＰの周囲３辺が携帯情報端末ケースＣの背面ｃＢに接着されてなり、可撓ベルトＦＢは、折り返されるまでの下部固定部Ｆ１と、リング空間ＲＳを形成してなる可撓性を有する折返し部Ｕと、折り返されてからの上部固定部Ｆ２とからなり、下部固定部Ｆ１と上部固定部Ｆ２は、共に折返し部Ｕと一体に接続されてなると共に、折返し部Ｕは、リングＲを収納するためのリング空間ＲＳを有する梁Ｂを形成してなり、リング空間ＲＳは、リングＲを収納した際に遊び空間ＡＳを確保してなり、かつ、下部固定部Ｆ１と上部固定部Ｆ２は、共にカードポケットｃＰに回転不能に拘束されてなると共に、折返し部ＵはカードポケットｃＰに対して移動可能となっており、
さらに、リングＲのリング面ｒＦは、携帯情報端末ケースＣの背面ｃＢに平行する水平軸ｘ方向の周りに―９０°〜９０°回転可能であると共に、リングＲのリング面ｒＦが、携帯情報端末ケースＣの背面ｃＢと直交する場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなり、リングＲのリング面ｒＦは、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることという特徴的な構成要件により、本発明が解決しようとする第１課題〜第６課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
リングＲのリング面ｒＦは、携帯情報端末ケースＣの背面ｃＢに平行する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることを特徴とする請求項１に記載されたリング付き携帯情報端末ケース１００が開示されている。
○第２の発明の効果
第２の発明によれば、
リングＲのリング面ｒＦは、携帯情報端末ケースＣの背面ｃＢに平行する水平軸ｘ方向の周りに―４５°〜４５°の場合、リングＲは、折返し部Ｕから受ける垂直力Ｐｖ（ｋｇ重）と摩擦力μＰｖ（ｋｇ重）により自重Ｗ（ｋｇ重）により倒れないように保持されてなることという特徴的な構成要件により、本発明が解決しようとする第１課題〜第６課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることを特徴とする請求項１〜２の何れかに記載されたリング付き携帯情報端末ケース１００が開示されている。
○第３の発明の効果
第３の発明によれば、
内部にリング空間ＲＳを有する折返し部Ｕは、残留応力を有する曲梁を構成し、当該曲梁の両端から受ける垂直力Ｐｖ（ｋｇ重）と摩擦力μＰｖ（ｋｇ重）により自重Ｗ（ｋｇ重）により倒れないように保持されてなることという特徴的な構成要件により、本発明が解決しようとする第１課題〜第６課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢと直交する水平軸ｚ方向の周りに−６０°〜６０°回転可能であることを特徴とする請求項１〜３の何れかに記載されたリング付き携帯情報端末ケース１００が開示されている。
○第４の発明の効果
第４の発明によれば、
指をリングＲに挿入して、リングＲに水平軸ｚ方向の周りにモーメントＭ（Ｋｇｍ）を加えた場合、折返し部Ｕの梁Ｂの両端において、リングＲはリング空間ＲＳのｙ方向、及び−ｙ方向に移動して梁Ｂ内壁に接近し、逆に、リング空間ＲＳの−ｙ方向、及びｙ方向に、遊び空間ＡＳが拡大することにより、携帯情報端末ケースＣの背面ｃＢと直交する水平軸ｚ方向の周りに−６０°〜６０°回転可能であることという特徴的な構成要件により、本発明が解決しようとする第１課題〜第６課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
さらに、携帯情報端末ケースＣの背面ｃＢと平行する垂直軸ｙ方向の周りに無制限に回転可能であることを特徴とする請求項１〜４の何れかに記載されたリング付き携帯情報端末ケース１００が開示されている。
○第５の発明の効果
第５の発明によれば、
さらに、携帯情報端末ケースＣの背面ｃＢと平行する垂直軸ｙ方向の周りに無制限に回転可能であることという特徴的な構成要件により、本発明が解決しようとする第１課題〜第６課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
さらに、可撓ベルトＦＢが、人造皮革、プラスチック、布から製造されたものであることを特徴とする請求項１に記載された携帯情報端末ケースＣを特徴とする請求項１〜５の何れかに記載されたリング付き携帯情報端末ケース１００が開示されている。
○第６の発明の効果
第６の発明によれば
さらに、可撓ベルトＦＢが、人造皮革、プラスチック、布から製造されたものであることを特徴とする請求項１に記載された携帯情報端末ケースＣという特徴的な構成要件により、本発明が解決しようとする第１課題〜第６課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
さらに、カードポケットｃＰが、人造皮革、プラスチック、布から製造されたものであることを特徴とする請求項１に記載された携帯情報端末ケースＣを特徴とする請求項１〜６の何れかに記載されたリング付き携帯情報端末ケース１００が開示されている。
○第７の発明の効果
第７の発明によれば
さらに、カードポケットｃＰが、人造皮革、プラスチック、布から製造されたものであることという特徴的な構成要件により、本発明が解決しようとする第１課題〜第６課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることを特徴とする請求項１〜７の何れかに記載されたリング付き携帯情報端末ケース１００が開示されている。
○第８の発明の効果
第８の発明によれば
リングＲに指を挿入して、携帯情報端末ケースＣの背面ｃＢに対して直交する−ｚ方向に、指でリングＲに力を加えると、カード取入れ口ｃＩの面積が拡大して、カードｃｄをカードポケットｃＰ内に容易に取入れることができることという特徴的な構成要件により、本発明が解決しようとする第１課題〜第６課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のリング付き携帯情報端末ケース１００において、
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢと直交する水平軸ｚ方向の周りに回転可能であることを特徴とする請求項１〜８の何れかに記載されたリング付き携帯情報端末ケース１００が開示されている。
○第９の発明の効果
第９の発明によれば
リングＲに指を挿入して、携帯情報端末ケースＣの背面ｃＢに対して直交する−ｚ方向に、指でリングＲに力を加えると、カード取入れ口ｃＩの面積が拡大すると共に、
リングＲに水平軸ｚ方向の周りにモーメントＭ（Ｋｇｍ）を加えた場合、リングＲの近傍のポケット体Ｐが、その可撓性により、携帯情報端末ケースＣの背面ｃＢと直交する水平軸ｚ方向の周りに回転可能であることという特徴的な構成要件により、本発明が解決しようとする第１課題〜第６課題を達成することができ、当業者予測不可能な顕著な効果を奏することができた。
【図面の簡単な説明】
【０００９】
【図１】図１は、本発明に係るリング付き携帯情報端末ケース１００の斜視図を表す。
【図２】図２は、本発明に係るリング付き携帯情報端末ケース１００の正面図を表す。
【図３】図３は、本発明に係るリング付き携帯情報端末ケース１００の背面図を表す。
【図４】図４は、本発明に係るリング付き携帯情報端末ケース１００の左側面図を表す。
【図５】図５は、本発明に係るリング付き携帯情報端末ケース１００の右側面図を表す。
【図６】図６は、本発明に係るリング付き携帯情報端末ケース１００の平面図を表す。
【図７】図７は、本発明に係るリング付き携帯情報端末ケース１００の底面図を表す。
【図８】図８は、本発明に係るリング付き携帯情報端末ケース１００のリングホルダー装置の拡大図を表す。（Ａ）図は、平面図（図６）の拡大図を表す。（Ｂ）図は、底面図（図７）の拡大図を表す。（Ｃ）図は、左側面図（図４）の拡大図を表す。（Ｄ）図は、右側面図（図５）の拡大図を表す。
【図９】図９は、本発明に係るリング付き携帯情報端末ケース１００のリングホルダー装置の製作過程の状態を示す図である。（Ａ）図は、ステップ１の状態を示す図である。（Ｂ）図は、ステップ２の状態を示す図である。（Ｃ）図は、ステップ３の状態を示す図である。（Ｄ）図は、ステップ４の状態を示す図である。（Ｅ）図は、ステップ５の状態を示す図である。
【図１０】図１０は、リングＲが、折返し部Ｕから受ける垂直力Ｐｖ（ｋｇ重）と摩擦力μＰｖ（ｋｇ重）により自重Ｗ（ｋｇ重）により倒れないように保持されることの理由を示す図である（角度θがθ’）。  点Ｏは、梁の中央部の断面中心の位置を表し、垂直力−２Ｑの作用点でもある。  腕の長さａｗ：自重Ｗ（Ｋｇ重）の点Ｏ周りの腕の長さをいう。  腕の長さａμ：  摩擦力μＰｖ（ｋｇ重）の点Ｏ周りの腕の長さをいう。
【図１１】図１１は、本発明に係るリング付き携帯情報端末ケース１００の使用状態を示す図である。携帯情報端末ケース１００を横向きにして立て掛け、リングＲを携帯情報端末ケース用スタンドとして用いている。
【図１２】図１２は、リングＲのリング面ｒＦが、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることを示す図である。（Ａ）図は、水平軸ｚ方向の周りの角度θが０度の場合のリングＲと梁Ｂの右側面図を表す。（Ｂ）図は、水平軸ｚ方向の周りの角度θがθ’度の場合のリングＲと梁Ｂの右側面図を表す。（Ｃ）図は、水平軸ｚ方向の周りの角度θが０度の場合には、リングＲがｙ方向側と−ｙ方向側に遊びスペースＡＳを有している状態（梁Ｂの両端の状態）を示している。（Ｄ）図は、水平軸ｚ方向の周りの角度θがθ’度の場合には、リングＲがリング空間ＲＳを移動して、リング空間ＲＳの―ｙ方向側に遊びスペースＡＳを有している状態（梁Ｂのｘ方向の片端の状態）を示している。（Ｅ）図は、水平軸ｚ方向の周りの角度θがθ’度の場合には、リングＲがリング空間ＲＳを移動して、リング空間ＲＳの―ｙ方向側に遊びスペースＡＳを有している状態（梁Ｂのｘ方向の他端の状態）を示している。  （Ａ）〜（Ｅ）図により、リングＲのリング面ｒＦが、リングＲが遊び空間ＡＳを確保してなるリング空間ＲＳを移動することにより、携帯情報端末ケースＣの背面ｃＢと直交する水平軸ｚ方向の周りに−６０°〜６０°回転可能であることが示された。
【図１３】図１３は、本発明に係るリング付き携帯情報端末ケース１００において、リングに指を挿入して、携帯情報端末ケースＣの背面ｃＢに対して直交する方向に、指でリングに力Ｆ（Ｋｇ重）を加えると、カード取入れ口ｃＩの面積が拡大して、カードｃｄをカードポケット内に容易に取入れることができることを示す図である。（Ａ）図は、右手で保持した、本発明に係るリング付き携帯情報端末ケース１００の背面図を表しており、指でリングに力Ｆ（Ｋｇ重）を加える前の状態を示す。  カード取入れ口ｃＩは殆ど隙間が無いスリット形状で表されている。（Ｂ）図は、右手で保持した本発明に係るリング付き携帯情報端末ケース１００の背面図を表しており、指でリングに力Ｆ（Ｋｇ重）を加えた時の状態を示す。カード取入れ口ｃＩ、Ｆ＝０（Ｋｇ重）の場合に比較して、ポケット本体Ｐの上部縁は円弧状を形成することにより、カード取入れ口ｃＩの面積が拡大している。特にカード取入れ口ｃＩの中央部が大きな隙間を有しており、カードｃｄの角をカード取入れ口ｃＩの中央部からカードポケットｃＰ内に挿入すれば、カードｃｄをポケットｃＰ内に非常に容易に挿入することができる。（Ｃ）図は、指でリングに力Ｆ（Ｋｇ重）を加える前における、カード取入れ口ｃＩの形状を表す。（Ｄ）図は、指でリングに力Ｆ（Ｋｇ重）を加えた時における、カード取入れ口ｃＩの形状を表す。
【符号の説明】
【００１０】
Ｐ……ポケット本体
ｃＰ……カードポケット
Ｒ……リング
ＦＢ……可撓ベルト
Ｃ……携帯情報端末ケース
１００……リング付き携帯情報端末ケース
ｃＢ……携帯情報端末ケースＣの背面
Ｆ１……下部固定部
Ｕ……折返し部
Ｂ……梁（折返し部Ｕの梁）
Ｆ２……上部固定部
ＲＳ……リング空間
ＡＳ……遊び空間
ｒＦ……リング面
Ｐｖ……垂直力（ｋｇ重）
μＰｖ……摩擦力（ｋｇ重）
ｃｄ…カード
ｃＩ…カード取入れ口